(57)【要約】    【課題】  著作権者の利益に配慮しつつも、ユーザにとって使いやすく音楽データの流通の促進を促すようなシステムを提供する。    【手段】  ダウンロードした音楽コンテンツを再生するため、ユーザが携帯電話8を操作し再生指令を与えると、携帯電話８は、音楽コンテンツを波形音楽データに変換しつつ再生を行う。この際、携帯電話８は、変換した波形音楽データの特徴を示す特徴データ（対象特徴データ）を生成する。さらに、この対象特徴データに合致する権利特徴データが記録されているか否かを判断する。記録されていなければ、携帯電話８は再生を中止する。記録されていれば、携帯電話８は再生を継続する。このようにして、権利特徴データを記録した携帯電話８だけで、当該音楽コンテンツを再生可能とすることができる。【選択図】  図２
2007017865.tif 000002
【特許請求の範囲】
【請求項１】
音楽データの再生を管理する音楽再生管理システムであって、
ユーザが権利を有する音楽データに基づいて得られる音楽波形データの波形的な特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
を備えた音楽再生管理システム。
【請求項２】
請求項１の音楽再生管理システムにおいて、
当該音楽再生管理システムは、管理装置と、当該管理装置と通信可能な音楽再生装置とを備えており、
前記管理装置は、
音楽再生装置からの購入要求に応答して、当該購入要求対象となっている音楽データにつき権利特徴データを取得する権利特徴データ取得手段と、
当該権利特徴データを音楽再生装置に送信する送信手段とさらに備え、
前記音楽再生装置は、
前記権利特徴データ記録部と音楽データ取得手段と再生手段と対象特徴データ生成手段と判断手段と制御手段とを有しており、
管理装置からの権利特徴データを受信して権利特徴データ記録部に記録する受信記録手段をさらに備えていることを特徴とするもの。
【請求項３】
音楽再生装置とともに音楽再生管理システムを構築する管理装置であって、
音楽再生装置からの購入要求に応答して、当該購入要求対象となっている音楽データに基づいて得られる音楽波形データの波形的特徴を示す権利特徴データを取得する権利特徴データ取得手段と、
当該権利特徴データを当該音楽再生装置に送信する送信手段と、
を備えた管理装置。
【請求項４】
管理装置とともに音楽再生管理システムを構築する音楽再生装置であって、
当該ユーザが権利を有する音楽波形データの特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
を備えた音楽再生装置。
【請求項５】
コンピュータによって下記の機能を実現して音楽再生装置を構築するための音楽再生プログラムであって、
当該ユーザが権利を有する音楽波形データの特徴を抽出した権利特徴データを記録する権利特徴データ記録部にアクセスする手段と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
をコンピュータによって実現するための音楽再生プログラム。
【請求項６】
請求項４の音楽再生装置または請求項５の音楽再生プログラムにおいて、
管理装置からの権利特徴データを受信して権利特徴データ記録部に記録する受信記録手段をさらに備えていることを特徴とするもの。
【請求項７】
請求項１の音楽再生管理システムにおいて、
当該音楽再生管理システムは、管理装置と、当該管理装置と通信可能な音楽再生装置とを備えており、
前記管理装置は、
前記権利特徴データ記録部を有しており、
前記権利特徴データ記録部には、音楽再生装置のユーザ毎に権利特徴データが記録されており、
前記音楽再生装置は、
前記音楽データ取得手段と再生手段と対象特徴データ生成手段と判断手段と制御手段とを有しており、
前記判断手段は、管理装置の権利特徴データ記録部を参照して、対象特徴データに合致する権利特徴データが当該ユーザに対応づけて記録されているかを判断することを特徴とするもの。
【請求項８】
音楽再生装置とともに音楽再生管理システムを構築する管理装置であって、
音楽再生装置のユーザ毎に、当該ユーザが権利を有する音楽データに基づいて得られる音楽波形データの波形的特徴を示す権利特徴データが記録した権利特徴データ記録部と、
音楽再生装置からの要求に応じて、権利特徴データ記録部に記録されている少なくとも指定されたユーザの権利特徴データを送り返す送信手段と、
を備えた管理装置。
【請求項９】
管理装置とともに音楽再生管理システムを構築する音楽再生装置であって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果に応じて、再生手段による再生状態を変化させる制御手段と、
を備えた音楽再生装置。
【請求項１０】
コンピュータによって下記の機能を実現して音楽再生装置を構築するための音楽再生プログラムであって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果に応じて、再生手段による再生状態を変化させる制御手段と、
をコンピュータによって実現するための音楽再生プログラム。
【請求項１１】
請求項１の音楽再生管理システムにおいて、
当該音楽再生管理システムは、管理装置と、当該管理装置と通信可能な音楽再生装置とを備えており、
前記管理装置は、権利特徴データ記録部と、対象特徴データ生成手段と、判断手段と、制御手段とを備えており、
前記制御手段は、判断手段の判断結果に応じて、音楽再生装置に対して送信する音楽データを制御することにより再生手段による再生を制御し、
前記音楽再生装置は、音楽データ取得手段と再生手段を備えており、
前記再生手段は、前記管理装置から送信されてくる音楽データを再生することを特徴とするもの。
【請求項１２】
音楽再生装置とともに音楽再生管理システムを構築する管理装置であって、
ユーザが権利を有する音楽データに基づいて得られる音楽波形データの波形的な特徴を抽出した権利特徴データを記録する権利特徴データ記録部と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、音楽再生装置に対して送信する音楽データを制御することにより再生手段による再生状態を変化させる制御手段と、
を備えた管理装置。
【請求項１３】
コンピュータによって下記の機能を実現して管理装置を構築するための管理プログラムであって、
ユーザが権利を有する音楽データに基づいて得られる音楽波形データの波形的な特徴を抽出した権利特徴データを記録する権利特徴データ記録部にアクセスする手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、音楽再生装置に対して送信する音楽データを制御することにより再生手段による再生状態を変化させる制御手段と、
をコンピュータによって実現するための管理プログラム。
【請求項１４】
請求項７または１１の音楽再生管理システムにおいて、
前記管理装置は、
音楽再生装置からの購入要求に応答して、当該購入要求対象となっている音楽データにつき権利特徴データを取得し、当該ユーザに対応づけて権利特徴データ記録部に記録する権利特徴データ取得手段をさらに備え、
前記音楽再生装置は、
管理装置に対して音楽データの購入要求を送信する送信手段をさらに備えていることを特徴とするもの。
【請求項１５】
請求項８または１２の管理装置において、
音楽再生装置からの購入要求に応答して、当該購入要求対象となっている音楽データにつき権利特徴データを取得し、当該ユーザに対応づけて権利特徴データ記録部に記録する権利特徴データ取得手段をさらに備えたことを特徴とするもの。  
【請求項１６】
請求項１４の音楽再生管理システムにおいて、
前記管理装置は、コンテンツサーバ装置とキー発行サーバ装置を含んで構成されており、
前記コンテンツサーバ装置は、音楽再生装置からの購入要求に応じて音楽データを送信し、
前記キー発行サーバ装置は、音楽再生装置からの購入要求に応じて前記コンテンツサーバ装置から送信されてきた音楽データに対応する権利特徴データを取得することを特徴とするもの。
【請求項１７】
請求項１、２、４〜７、９〜１２、１４〜１６のいずれかのシステム、装置またはプログラムにおいて、
前記判断手段は、判断結果を音楽データのＩＤに対応づけて記録しておき、
当該音楽データの再生が２回目以降である場合には、対象特徴データ生成手段は当該音楽データの対象特徴データを作成せず、判断手段は判断を行わず、制御手段は記録された判断結果に基づいて制御を行うことを特徴とするもの。
【請求項１８】
請求項１、２、４〜７、９〜１１、１２〜１７のいずれかのシステム、装置またはプログラムにおいて、
前記制御手段は、判断手段の判断結果が否定的であった場合には、再生手段による当該音楽データの再生を許可しないことを特徴とするもの。
【請求項１９】
請求項１、２、４〜７、９〜１１、１２〜１７のいずれかのシステム、装置またはプログラムにおいて、
前記制御手段は、判断手段の判断結果が否定的であった場合でも、再生手段による当該音楽データの再生を所定時間だけ許可し、その後の再生を許可しないことを特徴とするもの。
【請求項２０】
請求項１、２、４〜７、９〜１１、１２〜１７のいずれかのシステム、装置またはプログラムにおいて、
前記制御手段は、判断手段の判断結果が否定的であった場合には、再生手段による当該音楽データの再生を品質を落として許可することを特徴とするもの。
【請求項２１】
請求項１、２、４〜８、１１、１２、１５、１６〜２０のいずれかのシステム、装置またはプログラムにおいて、
前記権利特徴データ記録部は、着脱可能な可搬性記録媒体であることを特徴とするもの。
【請求項２２】
請求項１〜２１のいずれかのシステム、装置またはプログラムにおいて、
前記権利特徴データまたは対象特徴データは、音楽波形データの開始部分を、オーバーラップした複数のウインドウによって切り出し、各ウインドウによって切り出した波形を周波数解析した結果を２値化し、時系列順に並べたデータであることを特徴とするもの。
【請求項２３】
請求項２２のシステム、装置またはプログラムにおいて、
前記判断手段は、権利特徴データ中の２値化データと対象特徴データ中の２値化データの合致割合が所定割合を超えた場合には、両者が合致していると判断することを特徴とするもの。
【請求項２４】
請求項２２または２３のシステム、装置またはプログラムにおいて、
異なるパラメータによる権利特徴データおよび対象特徴データを複数生成し、
前記判断手段は、これら複数の権利特徴データおよび対象特徴データの合致割合により、合致しているか否かを判断することを特徴とするもの。
【請求項２５】
請求項１〜２４のシステム、装置またはプログラムにおいて、
前記管理装置は、インターネットに接続された管理サーバ装置であり、
前記音楽再生装置は、インターネットに接続可能な携帯端末装置であることを特徴とするもの。
【請求項２６】
請求項１〜２４のシステム、装置またはプログラムにおいて、
前記管理装置は、携帯端末装置であり、
前記音楽再生装置は、前記携帯端末装置と通信可能な音楽再生機器であることを特徴とするもの。
【請求項２７】
請求項２７のシステム、装置またはプログラムにおいて、
前記音楽再生機器は、テレビ、オーディオ機器またはカーナビゲーション装置のいずれかであることを特徴とするもの。
【請求項２８】
請求項１〜２６のシステム、装置またはプログラムにおいて、
判断手段の判断結果を判断結果記録部に記録する記録手段をさらに備えたことを特徴とするもの。
【請求項２９】
音楽データの再生を管理する音楽再生管理方法であって、
音楽再生端末装置のユーザに対応付けて、当該ユーザが権利を有する音楽波形データの特徴を抽出した権利特徴データを権利特徴データ記録部に記録しておき、
再生対象となる音楽データに基づいて得られる音楽波形データの波形的特徴を抽出して対象特徴データを生成し、
対象特徴データに合致する権利特徴データが権利特徴データ記録部に記録されているか否かを判断し、
判断手段の判断結果に応じて、再生手段による再生状態を変化させること
を特徴とする音楽再生管理方法。
【請求項３０】
音楽データの再生を管理する音楽再生管理システムであって、
ユーザが権利を有する音楽データに基づいて得られる音楽波形データの波形的な特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
を備えた音楽再生管理システム。
【請求項３１】
請求項３０の音楽再生管理システムにおいて、
当該音楽再生管理システムは、管理装置と、当該管理装置と通信可能な音楽再生装置とを備えており、
前記管理装置は、
音楽再生装置からの購入要求に応答して、当該購入要求対象となっている音楽データにつき権利特徴データを取得する権利特徴データ取得手段と、
当該権利特徴データを音楽再生装置に送信する送信手段とさらに備え、
前記音楽再生装置は、
前記権利特徴データ記録部と音楽データ取得手段と再生手段と対象特徴データ生成手段と判断手段と制御手段とを有しており、
管理装置からの権利特徴データを受信して権利特徴データ記録部に記録する受信記録手段をさらに備えていることを特徴とするもの。
【請求項３２】
管理装置とともに音楽再生管理システムを構築する音楽再生装置であって、
当該ユーザが権利を有する音楽波形データの特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
を備えた音楽再生装置。
【請求項３３】
コンピュータによって下記の機能を実現して音楽再生装置を構築するための音楽再生プログラムであって、
当該ユーザが権利を有する音楽波形データの特徴を抽出した権利特徴データを記録する権利特徴データ記録部にアクセスする手段と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
をコンピュータによって実現するための音楽再生プログラム。
【請求項３４】
請求項３０の音楽再生管理システムにおいて、
当該音楽再生管理システムは、管理装置と、当該管理装置と通信可能な音楽再生装置とを備えており、
前記管理装置は、
前記権利特徴データ記録部を有しており、
前記権利特徴データ記録部には、音楽再生装置のユーザ毎に権利特徴データが記録されており、
前記音楽再生装置は、
前記音楽データ取得手段と再生手段と対象特徴データ生成手段と判断手段と制御手段とを有しており、
前記判断手段は、管理装置の権利特徴データ記録部を参照して、対象特徴データに合致する権利特徴データが当該ユーザに対応づけて記録されているかを判断することを特徴とするもの。
【請求項３５】
管理装置とともに音楽再生管理システムを構築する音楽再生装置であって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果を判断結果記録部に記録する記録手段と、
を備えた音楽再生装置。
【請求項３６】
コンピュータによって下記の機能を実現して音楽再生装置を構築するための音楽再生プログラムであって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果を判断結果記録部に記録する記録手段と、
をコンピュータによって実現するための音楽再生プログラム。
【請求項３７】
音楽データの再生を管理する音楽再生管理方法であって、
ユーザが権利を有する音楽データに基づいて得られる音楽波形データの波形的な特徴を抽出した権利特徴データを権利特徴データ記録部に記録しておき、
音楽データを取得し、
前記取得した音楽データを音楽波形データに変換して音楽として出力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果を判断結果記録部に記録する
ことを特徴とする音楽再生管理方法。
【請求項３８】
音楽データの流通を管理する音楽流通管理システムであって、
前記システムは、第１の音楽記録装置と第２の音楽記録装置を備えており、
前記第１の音楽記録装置は、
音楽データを記録する音楽データ記録部と、
ユーザが権利を有する音楽データに基づいて得られる音楽波形データの波形的な特徴を抽出した権利特徴データを記録する権利特徴データ記録部と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段とを備え、
前記第２の音楽記録装置は、
音楽データを記録する音楽データ記録部と、
ユーザが権利を有する音楽データに基づいて得られる音楽波形データの波形的な特徴を抽出した権利特徴データを記録する権利特徴データ記録部と、
第１の音楽装置から出力された音楽データを、オンラインまたは記録媒体を介して入力し音楽データ記録部に記録する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段とを備えたことを特徴とする音楽流通管理システム。
【請求項３９】
音楽データを記録する音楽データ記録部と、
ユーザが権利を有する音楽データに基づいて得られる音楽波形データの波形的な特徴を抽出した権利特徴データを記録する権利特徴データ記録部と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段と
を備えた音楽記録装置。
【請求項４０】
コンピュータによって下記の機能を実現するためのプログラムであって、
音楽データを記録する音楽データ記録部にアクセスするための手段と、
ユーザが権利を有する音楽データに基づいて得られる音楽波形データの波形的な特徴を抽出した権利特徴データを記録する権利特徴データ記録部にアクセスするための手段と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段と、
をコンピュータによって実現するためのプログラム。
【請求項４１】
音楽データを記録する音楽データ記録部と、
ユーザが権利を有する音楽データに基づいて得られる音楽波形データの波形的な特徴を抽出した権利特徴データを記録する権利特徴データ記録部と、
第１の音楽装置から出力された音楽データを、オンラインまたは記録媒体を介して入力する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段と、
を備えた音楽記録装置。
【請求項４２】
コンピュータによって下記の機能を実現するためのプログラムであって、
音楽データを記録する音楽データ記録部にアクセスするための手段と、
ユーザが権利を有する音楽データに基づいて得られる音楽波形データの波形的な特徴を抽出した権利特徴データを記録する権利特徴データ記録部にアクセスするための手段と、
第１の音楽装置から出力された音楽データを、オンラインまたは記録媒体を介して入力する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段と、
をコンピュータによって実現するためのプログラム。
【請求項４３】
第１の音楽記録装置と第２の音楽記録装置を備えた、音楽データの流通を管理する音楽流通管理方法であって、
前記第１の音楽記録装置は、
音楽データを音楽データ記録部に記録し、
ユーザが権利を有する音楽データに基づいて得られる音楽波形データの波形的な特徴を抽出した権利特徴データを権利特徴データ記録部に記録し、
音楽データ記録部に記録されている音楽データを読み出して外部に出力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果に応じて、出力手段による出力状態を変化させ、
前記第２の音楽記録装置は、
音楽データを音楽データ記録部に記録し、
ユーザが権利を有する音楽データに基づいて得られる音楽波形データの波形的な特徴を抽出した権利特徴データを権利特徴データ記録部に記録し、
第１の音楽装置から出力された音楽データを、オンラインまたは記録媒体を介して入力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果に応じて、入力手段による入力状態を変化させること
を特徴とする音楽流通管理方法。
【発明の詳細な説明】
【技術分野】
【０００１】
この発明は、音楽の再生を管理するシステムに関するものである。
【背景技術】
【０００２】
著作権者を保護しつつ、音楽データを広く配信する仕組みが提案されている。たとえば、特許文献１には、音楽配信サーバに、ユーザと対応付けて暗号キーを記録しておき、音楽を再生する端末装置では、音楽配信サーバと接続してこの暗号キーを用いて音楽データの暗号を解いて、再生出力を行うようにしている。また、音楽データは、音楽配信サーバから端末装置に送信され、リアルタイムに暗号が解かれて再生される。再生後は、端末装置の音楽データは削除される。これにより、音楽データだけが複製されたとしても、他の端末装置では再生することができないので、著作権者の利益を害するおそれがない。
【０００３】
【特許文献１】特開２００４−１９８５０９
【発明の開示】
【発明が解決しようとする課題】
【０００４】
しかしながら、上記のような従来のシステムでは、著作権者の利益に配慮する余り、音楽データの流通が促進されないという問題があった。上記システムにおいては、音楽配信サーバに登録したユーザでなければ音楽を聴くことができず、さらに、音楽配信サーバに接続した状態でしか音楽を聴くことができない。さらに、上記音楽配信サーバが特定のフォーマットによる音楽データを配信している場合、同一の音楽について他のフォーマットによる音楽データを再生しようとすると、重ねて、他の音楽配信サーバとの契約もしなければならなくなる。このような事態は、音楽再生用の端末装置を買い換えた場合などに生じる。
【０００５】
そこで、この発明は、上記のような問題点を解決して、著作権者の利益に配慮しつつも、ユーザにとって使いやすく音楽データの流通の促進を促すようなシステムを提供することを目的とする。
【課題を解決するための手段】
【０００６】
この発明は以下のように複数の独立した側面を備えている。
【０００７】
(1)この発明に係る音楽再生管理システムは、音楽データの再生を管理する音楽再生管理システムであって、ユーザが権利を有する音楽データに基づいて得られる音楽波形データの波形的な特徴を抽出した権利特徴データを記録する権利特徴データ記録部と、音楽データを取得する音楽データ取得手段と、前記取得した音楽データを音楽波形データに変換して音楽として出力する再生手段と、前記音楽データに基づいて得られる音楽波形データの波形的特徴を抽出して対象特徴データを生成する対象特徴データ生成手段と、対象特徴データに合致する権利特徴データが権利特徴データ記録部に記録されているか否かを判断する判断手段と、判断手段の判断結果に応じて、再生手段による再生状態を変化させる制御手段とを備えている。
【０００８】
したがって、音楽波形データの波形的特徴に基づいて生成した権利特徴データを用いているので、音楽データの形式に拘わらず、再生の制御を行うことができる。また、音楽データの入手経路やデータ形式を問わず、権利処理を行うことができる。
【０００９】
(2)〜(6)この発明に係る音楽再生管理システムは、管理装置と、当該管理装置と通信可能な音楽再生装置とを備えており、前記管理装置は、音楽再生装置からの購入要求に応答して、当該購入要求対象となっている音楽データにつき権利特徴データを取得する権利特徴データ取得手段と、当該権利特徴データを音楽再生装置に送信する送信手段とさらに備え、前記音楽再生装置は、前記権利特徴データ記録部と音楽データ取得手段と再生手段と対象特徴データ生成手段と判断手段と制御手段とを有しており、管理装置からの権利特徴データを受信して権利特徴データ記録部に記録する受信記録手段をさらに備えていることを特徴としている。
【００１０】
したがって、管理装置から権利特徴データを取得し、音楽再生装置においてこれを記録しておくことができる。
【００１１】
(7)〜(10)この発明に係る音楽再生管理システムは、管理装置と、当該管理装置と通信可能な音楽再生装置とを備えており、前記管理装置は、前記権利特徴データ記録部を有しており、前記権利特徴データ記録部には、音楽再生装置のユーザ毎に権利特徴データが記録されており、前記音楽再生装置は、前記音楽データ取得手段と再生手段と対象特徴データ生成手段と判断手段と制御手段とを有しており、前記判断手段は、管理装置の権利特徴データ記録部を参照して、対象特徴データに合致する権利特徴データが当該ユーザに対応づけて記録されているかを判断することを特徴としている。
【００１２】
したがって、管理装置にユーザ毎に権利特徴データを記録しておき、音楽再生装置からこれにアクセスして権利の有無を判断することができる。
【００１３】
(11)〜(13)この発明に係る音楽再生管理システムは、管理装置と、当該管理装置と通信可能な音楽再生装置とを備えており、前記管理装置は、権利特徴データ記録部と、対象特徴データ生成手段と、判断手段と、制御手段とを備えており、前記制御手段は、判断手段の判断結果に応じて、音楽再生装置に対して送信する音楽データを制御することにより再生手段による再生を制御し、前記音楽再生装置は、音楽データ取得手段と再生手段を備えており、前記再生手段は、前記管理装置から送信されてくる音楽データを再生することを特徴としている。
【００１４】
したがって、管理装置にて権利の判断を行って、再生装置における再生を制御することができる。
【００１５】
(14)(15)この発明に係る音楽再生管理システムは、管理装置は、音楽再生装置からの購入要求に応答して、当該購入要求対象となっている音楽データにつき権利特徴データを取得し、当該ユーザに対応づけて権利特徴データ記録部に記録する権利特徴データ取得手段をさらに備え、音楽再生装置は、管理装置に対して音楽データの購入要求を送信する送信手段をさらに備えていることを特徴としている。
【００１６】
したがって、ユーザからの購入要求に応じて権利特徴データを記録することができる。
【００１７】
(16)この発明に係る音楽再生管理システムは、管理装置は、コンテンツサーバ装置とキー発行サーバ装置を含んで構成されており、前記コンテンツサーバ装置は、音楽再生装置からの購入要求に応じて音楽データを送信し、前記キー発行サーバ装置は、音楽再生装置からの購入要求に応じて前記コンテンツサーバ装置から送信されてきた音楽データに対応する権利特徴データを取得することを特徴としている。
【００１８】
したがって、音楽データの配信を併せて行うことができる。
【００１９】
(17)この発明に係る音楽再生管理システムは、判断手段は、判断結果を音楽データに対応づけて記録しておき、当該音楽データの再生が２回目以降である場合には、対象特徴データ生成手段は当該音楽データの対象特徴データを作成せず、判断手段は判断を行わず、制御手段は記録された判断結果に基づいて制御を行うことを特徴としている。
【００２０】
したがって、２回目以降は、判断手段の判断を不要とすることができ、迅速な処理を実現できる。
【００２１】
(18)この発明に係る音楽再生管理システムは、制御手段は、判断手段の判断結果が否定的であった場合には、再生手段による当該音楽データの再生を許可しないことを特徴としている。
【００２２】
したがって、権利がない場合には音楽データの再生を禁止することができる。
【００２３】
(19)この発明に係る音楽再生管理システムは、制御手段は、判断手段の判断結果が否定的であった場合でも、再生手段による当該音楽データの再生を所定時間だけ許可し、その後の再生を許可しないことを特徴としている。
【００２４】
したがって、権利がない場合であっても、音楽データの一部を試聴することができる。
【００２５】
(20)この発明に係る音楽再生管理システムは、制御手段は、判断手段の判断結果が否定的であった場合には、再生手段による当該音楽データの再生を品質を落として許可することを特徴としている。
【００２６】
したがって、権利がない場合であっても、品質の落とされた音楽データを試聴することができる。
【００２７】
(21)この発明に係る音楽再生管理システムは、権利特徴データ記録部は、着脱可能な可搬性記録媒体であることを特徴としている。
【００２８】
したがって、異なる再生装置においても、可搬性記録媒体があれば権利のある音楽データを再生することができる。
【００２９】
(22)この発明に係る音楽再生管理システムは、権利特徴データまたは対象特徴データは、音楽波形データの開始部分を、オーバーラップした複数のウインドウによって切り出し、各ウインドウによって切り出した波形を周波数解析した結果を２値化し、時系列順に並べたデータであることを特徴としている。
【００３０】
したがって、正確に波形的特徴を抽出することができる。
【００３１】
(23)この発明に係る音楽再生管理システムは、判断手段は、権利特徴データ中の２値化データと対象特徴データ中の２値化データの合致割合が所定割合を超えた場合には、両者が合致していると判断することを特徴としている。
【００３２】
したがって、正確に権利特徴データと対象特徴データとの合致を判定することができる。
【００３３】
(24)この発明に係る音楽再生管理システムは、異なるパラメータによる権利特徴データおよび対象特徴データを複数生成し、判断手段は、これら複数の権利特徴データおよび対象特徴データの合致割合により、合致しているか否かを判断することを特徴としている。
【００３４】
したがって、より正確な判定を行うことができる。
【００３５】
(25)この発明に係る音楽再生管理システムは、管理装置は、インターネットに接続された管理サーバ装置であり、音楽再生装置は、インターネットに接続可能な携帯端末装置であることを特徴としている。
【００３６】
したがって、携帯端末装置において音楽を再生する際に、権利処理を行うことができる。
【００３７】
(26)この発明に係る音楽再生管理システムは、管理装置は、携帯端末装置であり、音楽再生装置は、前記携帯端末装置と通信可能な音楽再生機器であることを特徴としている。
【００３８】
したがって、音楽再生機器において音楽を再生する際に、権利処理を行うことができる。
【００３９】
(27)この発明に係る音楽再生管理システムは、音楽再生機器は、テレビ、オーディオ機器またはカーナビゲーション装置のいずれかであることを特徴としている。
【００４０】
したがって、テレビ、オーディオ機器またはカーナビゲーション装置において音楽を再生する際に、権利処理を行うことができる。
【００４１】
(28)この発明に係る音楽再生管理システムは、判断手段の判断結果を判断結果記録部に記録する記録手段を備えたことを特徴としている。
【００４２】
したがって、権利に基づく再生、権利に基づかない再生についての記録を行うことができる。
【００４３】
(29)この発明に係る音楽再生管理方法は、音楽再生端末装置のユーザに対応付けて、当該ユーザが権利を有する音楽波形データの特徴を抽出した権利特徴データを権利特徴データ記録部に記録しておき、再生対象となる音楽データに基づいて得られる音楽波形データの波形的特徴を抽出して対象特徴データを生成し、対象特徴データに合致する権利特徴データが権利特徴データ記録部に記録されているか否かを判断し、判断手段の判断結果に応じて、再生手段による再生状態を変化させることを特徴としている。
【００４４】
したがって、音楽波形データの波形的特徴に基づいて生成した権利特徴データを用いているので、音楽データの形式に拘わらず、再生の制御を行うことができる。
【００４５】
(30)この発明に係る音楽再生管理システムは、ユーザが権利を有する音楽データに基づいて得られる音楽波形データの波形的な特徴を抽出した権利特徴データを記録する権利特徴データ記録部と、音楽データを取得する音楽データ取得手段と、前記取得した音楽データを音楽波形データに変換して音楽として出力する再生手段と、前記音楽データに基づいて得られる音楽波形データの波形的特徴を抽出して対象特徴データを生成する対象特徴データ生成手段と、対象特徴データに合致する権利特徴データが権利特徴データ記録部に記録されているか否かを判断する判断手段と、判断手段の判断結果を判断結果記録部に記録する記録手段とを備えている。
【００４６】
したがって、音楽波形データの波形的特徴に基づいて生成した権利特徴データを用いているので、音楽データの形式に拘わらず、権利に基づく再生、権利に基づかない再生を記録することができる。
【００４７】
(31)〜(33)この発明に係る音楽再生管理システムは、管理装置と、当該管理装置と通信可能な音楽再生装置とを備えており、前記管理装置は、音楽再生装置からの購入要求に応答して、当該購入要求対象となっている音楽データにつき権利特徴データを取得する権利特徴データ取得手段と、当該権利特徴データを音楽再生装置に送信する送信手段とさらに備え、前記音楽再生装置は、前記権利特徴データ記録部と音楽データ取得手段と再生手段と対象特徴データ生成手段と判断手段と制御手段とを有しており、管理装置からの権利特徴データを受信して権利特徴データ記録部に記録する受信記録手段をさらに備えていることを特徴としている。
【００４８】
したがって、管理装置から権利特徴データを取得し、音楽再生装置においてこれを記録しておくことができる。
【００４９】
(34)〜(36)この発明に係る音楽再生管理システムは、管理装置と、当該管理装置と通信可能な音楽再生装置とを備えており、前記管理装置は、前記権利特徴データ記録部を有しており、前記権利特徴データ記録部には、音楽再生装置のユーザ毎に権利特徴データが記録されており、前記音楽再生装置は、前記音楽データ取得手段と再生手段と対象特徴データ生成手段と判断手段と制御手段とを有しており、前記判断手段は、管理装置の権利特徴データ記録部を参照して、対象特徴データに合致する権利特徴データが当該ユーザに対応づけて記録されているかを判断することを特徴としている。
【００５０】
したがって、管理装置にユーザ毎に権利特徴データを記録しておき、音楽再生装置からこれにアクセスして権利の有無を判断することができる。
【００５１】
(37)この発明に係る音楽再生管理方法は、ユーザが権利を有する音楽データに基づいて得られる音楽波形データの波形的な特徴を抽出した権利特徴データを権利特徴データ記録部に記録しておき、音楽データを取得し、前記取得した音楽データを音楽波形データに変換して音楽として出力し、前記音楽データに基づいて得られる音楽波形データの波形的特徴を抽出して対象特徴データを生成し、対象特徴データに合致する権利特徴データが権利特徴データ記録部に記録されているか否かを判断し、判断結果を判断結果記録部に記録することを特徴としている。
【００５２】
したがって、音楽波形データの波形的特徴に基づいて生成した権利特徴データを用いているので、音楽データの形式に拘わらず、権利に基づく再生、権利に基づかない再生を記録することができる。
【００５３】
(38)〜(42)この発明に係る音楽流通管理システムは、第１の音楽記録装置と第２の音楽記録装置を備えており、前記第１の音楽記録装置は、音楽データを記録する音楽データ記録部と、ユーザが権利を有する音楽データに基づいて得られる音楽波形データの波形的な特徴を抽出した権利特徴データを記録する権利特徴データ記録部と、音楽データ記録部に記録されている音楽データを読み出して外部に出力する出力手段と、前記音楽データに基づいて得られる音楽波形データの波形的特徴を抽出して対象特徴データを生成する対象特徴データ生成手段と、対象特徴データに合致する権利特徴データが権利特徴データ記録部に記録されているか否かを判断する判断手段と、判断手段の判断結果に応じて、出力手段による出力状態を変化させる制御手段とを備え、前記第２の音楽記録装置は、音楽データを記録する音楽データ記録部と、ユーザが権利を有する音楽データに基づいて得られる音楽波形データの波形的な特徴を抽出した権利特徴データを記録する権利特徴データ記録部と、第１の音楽装置から出力された音楽データを、オンラインまたは記録媒体を介して入力し音楽データ記録部に記録する入力手段と、前記音楽データに基づいて得られる音楽波形データの波形的特徴を抽出して対象特徴データを生成する対象特徴データ生成手段と、対象特徴データに合致する権利特徴データが権利特徴データ記録部に記録されているか否かを判断する判断手段と、判断手段の判断結果に応じて、入力手段による入力状態を変化させる制御手段とを備えたことを特徴としている。
【００５４】
したがって、音楽波形データの波形的特徴に基づいて生成した権利特徴データを用いているので、音楽データの形式に拘わらず、権利に基づく音楽データの転送、移転を管理することができる。
【００５５】
(42)この発明に係る音楽流通管理方法は、第１の音楽記録装置と第２の音楽記録装置を備えた、音楽データの流通を管理する音楽流通管理方法であって、前記第１の音楽記録装置は、音楽データを音楽データ記録部に記録し、ユーザが権利を有する音楽データに基づいて得られる音楽波形データの波形的な特徴を抽出した権利特徴データを権利特徴データ記録部に記録し、音楽データ記録部に記録されている音楽データを読み出して外部に出力し、前記音楽データに基づいて得られる音楽波形データの波形的特徴を抽出して対象特徴データを生成し、対象特徴データに合致する権利特徴データが権利特徴データ記録部に記録されているか否かを判断し、判断結果に応じて、出力手段による出力状態を変化させ、前記第２の音楽記録装置は、音楽データを音楽データ記録部に記録し、ユーザが権利を有する音楽データに基づいて得られる音楽波形データの波形的な特徴を抽出した権利特徴データを権利特徴データ記録部に記録し、第１の音楽装置から出力された音楽データを、オンラインまたは記録媒体を介して入力し、前記音楽データに基づいて得られる音楽波形データの波形的特徴を抽出して対象特徴データを生成し、対象特徴データに合致する権利特徴データが権利特徴データ記録部に記録されているか否かを判断し、判断結果に応じて、入力手段による入力状態を変化させることを特徴としている。
【００５６】
したがって、音楽波形データの波形的特徴に基づいて生成した権利特徴データを用いているので、音楽データの形式に拘わらず、権利に基づく音楽データの転送、移転を管理することができる。
【００５７】
この発明において、「権利特徴データ記録部」は、固定式、可搬式を問わず権利特徴データを記録する媒体をいう。実施形態では、ハードディスク７４がこれに該当する。
【００５８】
「音楽データ取得手段」は、オンラインによって音楽データを取得する受信手段や、記録媒体から音楽データを読み出すインターフェイスを含む概念である。実施形態では、ステップS４１がこれに対応する。また、「音楽データ」とは、デコードや伸長することにより音楽として再生の可能なデータだけでなく、デコードや伸長することなしに再生可能なデータも含む概念である。
【００５９】
「再生手段」は、音楽データを再生する手段であり、実施形態では、変換手段１６、音出力部１８がこれに対応する。
【００６０】
「対象特徴データ生成手段」は、実施形態においては、ステップＳ３３がこれに対応する。
【００６１】
「判断手段」は、実施形態においては、ステップＳ３６がこれに対応する。
【００６２】
「制御手段」は、実施形態においては、ステップＳ３７、Ｓ４０がこれに対応する。
【００６３】
「キー発行サーバ装置の送信手段」は、直接的に音楽再生端末装置に権利特徴データを送信するものだけでなく、コンテンツサーバ装置などを介して音楽再生端末装置に権利特徴データを送信するものを含む概念である。
【００６４】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００６５】
１．基本的構成
図１に、この発明の一実施形態による音楽再生管理システムの全体構成を示す。権利特徴データ記録部２２には、ユーザが権利を有する音楽波形データの波形的な特徴を抽出した権利特徴データが記録されている。このシステムでは、以下に述べるように、権利特徴データを有していなければ、音楽データの再生が制限されるようになっている。また、この権利特徴データは、音楽の波形的な特徴を抽出したものであるから、音楽データの形式によらず同一の音楽を認識することができる。なお、権利特徴データ記録部２２は、ハードディスクなどの固定式の記録媒体だけでなく、メモリカード、ＵＳＢメモリなどの取り外し可能な可搬性の記録媒体によって構築してもよい。
【００６６】
音楽データ取得手段１２は、再生対象となる音楽データを取得する手段である。インターネットなどのネットワークを介して音楽データを取得してもよいし、可搬性記録媒体に記録された音楽データを読み込むものであってもよい。また、取得した音楽データを一旦記録し、記録したものを再生手段１７に渡してもよく、取得した音楽データを記録せずその都度再生手段１７に渡すようにしてもよい。
【００６７】
再生手段１７は、音楽データを音楽波形データに再現して音楽として出力するものである。
【００６８】
対象特徴データ生成手段２０は、音楽データに基づいて得られる音楽波形データの波形的特徴を抽出した対象特徴データを生成するものである。自ら音楽波形データへの変換を行って波形的特徴を抽出してもよいが、再生手段１７から音楽波形データを得て波形的特徴を抽出してもよい。
【００６９】
判断手段２４は、対象特徴データに合致する権利特徴データが、権利特徴データ記録部２２に記録されているかどうかを判断する。判断結果は、制御手段２６に与えられる。
【００７０】
制御手段２６は、判断結果を受けて再生手段１７の再生状況を制御する。たとえば、判断結果が否定的である場合には、音楽データの再生を許可しないようにする。あるいは、音楽データの一部分しか再生を許可しないようにする。判断結果が肯定的である場合には、音楽データの再生を許可する。
【００７１】
以上のようにして、ユーザが権利特徴データを有しているか否かにより、音楽データの再生を許可するかどうかを制御することができる。
【００７２】
２．第１の実施形態
図２に、この発明の一実施形態による音楽再生管理システムの全体構成を示す。この実施形態では、コンテンツサーバ装置２とキー発行サーバ装置４によって管理装置３が構成されている。
【００７３】
ユーザの指令により、音楽再生機能付きの携帯電話８は、インターネット６を介して、コンテンツサーバ装置２に接続する。さらに、ＭＰ３などの形式による音楽コンテンツ（音楽データ）のダウンロード要求を送信する。これを受けたコンテンツサーバ装置２は、要求された音楽コンテンツを携帯電話８に送信する。携帯電話８は、この音楽コンテンツを記録する。
【００７４】
これと同時に、コンテンツサーバ装置２は、キー発行サーバ装置４に対して当該音楽コンテンツを送信する。キー発行サーバ装置４は、受け取った音楽コンテンツの波形音楽データの特徴を示す特徴データ（権利特徴データ）を生成する。キー発行サーバ装置４は、生成した権利特徴データを、携帯電話８に送信する。携帯電話８は、この権利特徴データを記録する。
【００７５】
ダウンロードした音楽コンテンツを再生するため、ユーザが携帯電話8を操作し再生指令を与えると、携帯電話８は、音楽コンテンツを波形音楽データに変換しつつ再生を行う。この際、携帯電話８は、変換した波形音楽データの特徴を示す特徴データ（対象特徴データ）を生成する。さらに、この対象特徴データに合致する権利特徴データが記録されているか否かを判断する。記録されていなければ、携帯電話８は再生を中止する。記録されていれば、携帯電話８は再生を継続する。このようにして、権利特徴データを記録した携帯電話８だけで、当該音楽コンテンツを再生可能とすることができる。
【００７６】
なお、図２では、ユーザは、コンテンツサーバ２より音楽コンテンツを取得しているが、他のルートにて入手した音楽コンテンツであっても、その音楽に対する権利特徴データを有していれば再生することができる。たとえば、友人の携帯電話から送信されてきた音楽コンテンツであってもよい。また、権利特徴データ、対象特徴データは、波形音楽データの特徴を抽出したものであるから、音楽コンテンツの形式（ＭＰ３、ＡＴＲＡＣ、ＡＡＣなど）に拘わらず、共通の権利特徴データを用いることができる。
【００７７】
図２ａにコンテンツサーバ装置２の機能ブロック図と、キー発行サーバ装置４の機能ブロック図を示す。図２ｂに、携帯電話装置８の機能ブロック図を示す。図２ｂにおいて、携帯電話装置８の送信手段１０は、コンテンツサーバ装置２に対し、ダウンロード要求を送信する。図２ａにおいて、コンテンツサーバ装置２の受信手段３０は、このコンテンツ要求を受信する。送信手段３２は、記録部３４から要求された音楽データ（音楽コンテンツ）を読み出し、携帯電話装置８とキー発行サーバ装置４に送信する。携帯電話装置８の受信手段１２は音楽データを受信する。受信した音楽データは、対象音楽データ記録部１４に記録される（図２ｂ参照）。
【００７８】
一方、音楽データを受けたキー発行サーバ装置４は、変換手段３６において、音楽データを波形音楽データに変換する（図2ａ参照）。権利特徴データ取得手段４０は、この波形音楽データの波形特徴を権利特徴データとして抽出する。なお、予め生成して音楽データのＩＤ(タイトルなど）とともに記録しておいた権利特徴データを読み出して取得するようにしてもよい。この場合、コンテンツサーバ装置２からは音楽データのＩＤを送ってもらうだけでよい。送信手段３８は、この権利特徴データを携帯電話装置８に送信する。
【００７９】
携帯電話装置８の受信手段１２は、この権利特徴データを受信する（図２ｂ参照）。権利特徴データは、権利特徴データ記録部２２に記録される。
【００８０】
音楽データの再生指令がユーザから与えられると、変換手段１６は、対象音楽データ記録部１４から音楽データを読み出して、波形音楽データに変換する。音出力部１８は、波形音楽データを音として出力する。
【００８１】
一方、対象特徴データ生成手段２０は、変換手段１６からの波形音楽データを受けて、その波形的特徴を抽出し、対象特徴データを生成する。判断手段２４は、この対象特徴データに合致する権利特徴データが、権利特徴データ記録部２２に記録されているかどうかを判断する。制御手段２６は、対象特徴データに合致する権利特徴データが見いだせなければ、変換手段１６または音出力部１８（あるいはその双方）を制御して、再生を中止する。制御手段２６は、対象特徴データに合致する権利特徴データを見いだすことができれば再生を継続する。
【００８２】
図３に、コンテンツサーバ装置２のハードウエア構成示す。ＣＰＵ４４には、メモリ４０、通信回路４２、ハードディスク４６が接続されている。ハードディスク４６には、コンテンツサーバプログラム４８、音楽コンテンツデータベース５０が記録されている。音楽コンテンツデータベース５おは、複数のコード化音楽データをその曲名とともに記録している。なお、音楽コンテンツデータベース５０は、異なるコンピュータに設けられていてもよい。通信回路４２は、インターネット６に接続するための回路である。
【００８３】
図４に、キー発行サーバ装置４のハードウエア構成を示す。ＣＰＵ５６には、メモリ５２，通信回路５４、ハードディスク５８が接続されている。ハードディスク５８には、キー発行サーバプログラム６０が記録されている。通信回路５４は、インターネット６に接続するための回路である。
【００８４】
図５に、携帯電話装置８のハードウエア構成を示す。ＣＰＵ７２には、メモリ６２、通信回路６４、マイク６６、Ｄ／Ａ変換器６７、不揮発性メモリ７０、書換可能ＲＯＭ７４、ディスプレイ８０、キー８２が接続されている。Ｄ／Ａ変換器６７には、スピーカ６８が接続されている。なお、通話に関する機能部分は省略している。この実施形態では、不揮発性メモリ７０として、携帯電話装置８に着脱可能な可搬性の書換可能なメモリを用いている。もちろん、携帯電話装置８に内蔵の書換可能なメモリを用いてもよい。通信回路６４は、電話回線を通じてインターネット６に接続するための回路である。書換可能ＲＯＭ７４には、ブラウザプログラム７６、プレイヤープログラム７８が記録されている。ブラウザプログラム７６は、コンテンツサーバ装置２やキー発行サーバ装置４からの情報を取得するためのプログラムである。この実施形態では、ブラウザプログラム７６は、サーバ装置のコンテンツを閲覧するだけでなく、サーバ装置のデータをダウンロードする機能も有している。プレイヤープログラム７８は、音楽データを再生するためのプログラムである。
【００８５】
図６に、携帯電話装置８が、コンテンツサーバ装置２からコード化音楽データをダウンロードする処理のフローチャートを示す。左側が携帯電話装置８のブラウザプログラム７６、中央がコンテンツサーバ装置２のコンテンツサーバプログラム４８、右側がキー発行サーバ装置４のキー発行サーバプログラム６０を示している。
【００８６】
まず、ステップＳ１において、携帯電話装置８のＣＰＵ７２は、通信回路６４を介してコンテンツサーバ装置２にアクセスし、メニューページを要求する。これを受けて、コンテンツサーバ装置２のＣＰＵ４４は、図７Ａに示すようなメニュー画面を送信する(ステップＳ１１)。携帯電話装置８のＣＰＵ７２は、これをディスプレイ８０に表示する(ステップＳ２)。図７Ａの例では、「I'll be there....」「アスタリスク」「花」などの音楽が示されている。
【００８７】
携帯電話装置８のユーザは、ディスプレイ８０の表示を見ながらキー８２を操作し、所望の音楽を選択する(決定ボタンをクリックする)。これを受けて、携帯電話装置８のＣＰＵ７２は、コンテンツサーバ装置２に対して当該選択された音楽のダウンロード要求を送信する(ステップＳ３)。このダウンロード要求には、当該音楽を特定するためのＩＤあるいは音楽コンテンツＤＢ５０内における記録場所が含まれる。
【００８８】
ダウンロード要求を受けたコンテンツサーバ装置２のＣＰＵ４４は、要求された音楽を音楽コンテンツＤＢ５０から読み出す(ステップＳ１２)。音楽コンテンツＤＢ５０には、各音楽ごとに、そのコード化音楽データ（ＭＰ３など）が記録されいてる。ＣＰＵ４４は、読み出したコード化音楽データを、携帯電話装置８およびキー発行サーバ装置４に送信する(ステップＳ１２)。この際、コンテンツサーバ装置２は、キー発行サーバ装置４に携帯電話装置８の電話番号、メールアドレスを併せて送信する。さらに、ＣＰＵ４４は、ユーザに対する課金処理を行う(ステップＳ１３)。たとえば、通信会社のサーバに連絡し、請求処理を行う。
【００８９】
コード化音楽データを受けた携帯電話装置８のＣＰＵ７２は、これを不揮発性メモリ７０に記録する(ステップＳ４)。
【００９０】
一方。コード化音楽データを受けたキー発行サーバ装置４のＣＰＵ５６は、コード化音楽データを波形音楽データに変換する(ステップＳ２１)。この際、予め定められた部分についてのみ波形音楽データへの変換を行いメモリ５２に一時的に記録する。この実施形態では、音楽の先頭から１秒程度の部分を波形音楽データに変換している。この実施形態において、波形音楽データとは、図８に模式的に示すように、音楽の振幅を時間軸上に並べたデータであり、アナログ変換をしてスピーカに与えることにより、その音楽を再生できるものをいう。なお、この実施形態では、波形音楽データとしてディジタルデータを用いているが、アナログデータを用いてもよい。
【００９１】
次に、ＣＰＵ５６は、この波形音楽データの波形的特徴を抽出し権利特徴データを生成する(ステップＳ２２)。この実施形態では、図９に示すフローチャートのようにして、波形音楽データの波形的特徴を抽出するようにしている。
【００９２】
ＣＰＵ５６は、メモリ５６に記録した波形音楽データについて、ハニングウインドウにより切り出しを行う（ステップＳ２２１）。この実施形態では、Ｊ個のフレームを切り出すようにした（フレーム１〜Ｊまで）。また、各フレームは、かなり大幅にオーバラップするようにしている。たとえば、オーバラップ係数を３１／３２程度としている。
【００９３】
次に、ＣＰＵ５６は、フレーム１〜Ｊの各フレームについて、フーリエ変換を行う。この実施形態では、高速離散フーリエ変換（ＦＦＴ）を用いている(ステップＳ２２２)。また、以後の処理において、位相成分は用いず、強度成分だけを用いるようにしている。
【００９４】
次に、ＣＰＵ５６は、各フレームのＦＦＴ結果を、Ｋ個の周波数帯に分割する（ステップＳ２３）。この周波数帯での分割においては、各周波数帯はオーバラップしないようにしている。この実施形態では、３００Ｈｚから３０００Ｈｚの周波数において、対数的に周波数帯を３３分割するようにした。つまり、バンドの周波数幅は、１つ上の周波数帯になると２1/2倍になるようにしている。
【００９５】
次に、ＣＰＵ５６は、各フレームの各周波数帯ごとに、スペクトルのエネルギーの合計を算出する(ステップＳ２２４)。これにより、周波数帯１〜Ｍそれぞれの合計エネルギーＥが算出される。
【００９６】
続いて、ＣＰＵ５６は、下式にしたがって、プリント値Ｐ(j,k)を算出する(ステップＳ２２５）。ここで、ｊをフレーム番号、ｋを周波数帯番号とする。
【００９７】
【数１】
2007017865.tif 000003
【００９８】
このようにして、Ｊ個×Ｋ個のプリント値が得られる。この実施形態では、これらのプリント値を権利特徴データとしている。
【００９９】
図６に戻って、ＣＰＵ５６は、生成した権利特徴データを携帯電話装置８に送信する(ステップＳ２３)。携帯電話装置８のＣＰＵ７２は、受信した権利特徴データを、書換可能ＲＯＭ７４に記録する(ステップＳ５)。なお、この処理は、ブラウザのプラグインプログラムによって自動的に行ってもよいし、メールソフトの自動保存機能にょって実現してもよい。あるいは、メールを受信したユーザが操作を行って保存するようにしてもよい。
【０１００】
上記のようにして、携帯電話装置８に、コード化音楽データとその権利特徴データが記録される。上記の処理を複数回繰り返すと、複数のコード化音楽データと権利特徴データが記録されることになる。
【０１０１】
図１０Ａに、携帯電話装置８の不揮発性メモリ７０に記録されたコード化音楽データCODE1、CODE2、CODE3、CODE4・・・を示す。図１０Ｂに、携帯電話装置８の書換可能ＲＯＭ７４に記録された権利特徴データKEY1、KEY2、KEY4・・・を示す。ここで、権利特徴データKEY1、KEY2、KEY3、KEY4は、それぞれ、コード化音楽データCODE1、CODE2、CODE3、CODE4のための権利特徴データである。図１０Ｂに示すように、コード化音楽データCODE3に対応する権利特徴データKEY3は記録されていない。
【０１０２】
この実施形態では、コード化音楽データは、コンテンツサーバ装置２以外からも入手可能としている。たとえば、他のユーザがコンテンツサーバ装置２からダウンロードしたものを、不揮発性メモリ７０に複製したり、送信してもらったりすることができる。あるいは、コンテンツサーバ装置２からではなく、ＭＤなどの媒体から複製することができる。
【０１０３】
図１０Ａのコード化音楽データCODE3は、このようにして入手したものであるため、対応する権利特徴データKEY4が記録されておらず、実質的な再生はできないようになっている。
【０１０４】
図１１に、携帯電話装置８のプレイヤプログラム７８のフローチャートを示す。ユーザがキー８２を操作し、コード化音楽データを選択して再生指令を入力すると（図７Ｂ参照）、ＣＰＵ７２は、再生処理開始指令を再生処理モジュールに与える(ステップＳ３１)。ここでは、コード化音楽データCODE2が選択されたものとする。これを受けて、ＣＰＵ７２は、再生処理モジュールのステップＳ４１、Ｓ４２、Ｓ４３を並行して実行する。ステップＳ４１では、不揮発性メモリ７０に記録された、指定されたコード化音楽データCODE2を先頭から読み出す(ステップS４１)。次に、読み出したコード化音楽データCODE2を波形音楽データに変換する(ステップS４２)。この際、波形音楽データをメモリ６２に記録する。続いて、ＣＰＵ７２は、波形音楽データをＤ／Ａ変換器６７に出力する(ステップＳ４３)。これにより、アナログ変換された波形音楽データがスピーカ６８に与えられ、音楽が出力される。一連の処理が終了すると、コード化音楽データの次の部分を読み出して変換して出力するという処理を繰り返す。
【０１０５】
ＣＰＵ７２は、上記再生処理と並行して、権利特徴データを生成する際に用いた分の長さの波形音楽データがメモリ６２に記録されたかどうかを判断する(ステップＳ３２)。所定長さの  波形音楽データがメモリ６２に記録されれば、ＣＰＵ７２は、当該波形音楽データの波形的特徴を示す対象特徴データを生成する(ステップＳ３３)。この対象特徴データの生成処理は、図９と同様である。
【０１０６】
次に、ＣＰＵ７２は、書換可能ＲＯＭ７４から最初の権利特徴データKEY1を読み出す(ステップＳ３４)。この権利特徴データKEY1と上記で生成した対象特徴データの誤差を求める。たとえば、権利特徴データKEY1をＰ(j,k)とし、対象特徴データをＰ'(j,k)としたとき、ｊを１〜Ｊまで、ｋを１〜Ｋまで変化させ、対応するＰ(j,k)とＰ'(j,k)の誤差（不一致となったＰの数）を求める（ステップＳ３５）。Ｐ(j,k)とＰ'(j,k)が全く同じであれば誤差は「０」である。Ｐ(j,k)とＰ'(j,k)が全く異なる場合には、誤差は「Ｊ×Ｋ」となる。
【０１０７】
次に、ＣＰＵ７２は、誤差が所定の値以下であるかどうかを判断する（ステップＳ３６）。誤差が所定の値以下であれば、Ｐ(j,k)とＰ'(j,k)は合致するものとし（つまり、当該音楽についての権利を有するものとし）、再生処理をそのまま続行する(ステップＳ３７)。
【０１０８】
誤差が所定の値を超えている場合には、Ｐ(j,k)とＰ'(j,k)は合致しないものとし、ステップＳ３８に進む。ステップＳ３８では、書換可能ＲＯＭ７４に記録された全ての権利特徴データについて処理したかどうかを判断する。まだ、残された権利特徴データがあれば、次の権利特徴データを書換可能ＲＯＭ７４から読み出し(ステップＳ３９)、ステップＳ３５以下を繰り返し実行する。
【０１０９】
書換可能ＲＯＭ７４に記録された全ての権利特徴データについて比較を行っても、対象権利特徴データに合致するものがない場合には、ＣＰＵ７２は、再生モジュールによる再生を中止する(ステップＳ４０)。
【０１１０】
ここでは、コード化音楽データCODE２を再生しているので、不揮発性ＲＯＭ７４の最初に記録された権利特徴データKEY1とは合致しない。２番目の権利特徴データKEY2と合致する。したがって、再生が継続されることになる。仮に、再生指令の対象がコード化音楽データCODE3であれば、合致する権利特徴データが記録されていないので、再生が中止される。
【０１１１】
続いて、ＣＰＵ７２は、ブラウザプログラム７６を起動し、コンテンツサーバ装置２に接続させる（ステップＳ４１、Ｓ４２）。これにより、当該音楽を完全に再生したいユーザは、コンテンツサーバ装置２に要求して権利特徴データを購入することができる（図７Ｃ参照）。なお、コンテンツサーバ装置２ではなく、キー発行サーバ装置４に接続するようにしてもよい。
【０１１２】
また、不揮発性ＲＯＭに権利特徴データを記録しているが、可搬性の記録媒体に記録するようにしてもよい。
【０１１３】
上記実施形態では、携帯電話装置８を再生装置としているが、ＭＰ３プレイヤーなどの音楽再生装置を用いてもよい。
【０１１４】
上記実施形態では、キー発行サーバ装置４とコンテンツサーバ装置２を別のサーバとしているが、これを１つのサーバによって実現してもよい。
【０１１５】
上記実施形態では、コンテンツサーバ装置２からキー発行サーバ装置４にコード化音楽データを送り、キー発行サーバ装置４が波形音楽データに変換して権利特徴データを生成している。しかし、コンテンツサーバ装置２において波形音楽データに変換してキー発行サーバ装置４に送るようにしてもよい。
【０１１６】
また、キー発行サーバ装置４は、音楽のタイトルごとに予め権利特徴データを記録しておき、コンテンツサーバ装置２から音楽のタイトルだけを送信して、権利特徴データを得るようにしてもよい。
【０１１７】
上記実施形態では、キー発行サーバ装置４から形態電話装置８に直接、権利特徴データを送信するようにしている。しかし、キー発行サーバ装置４からコンテンツサーバ装置２に送信し、コンテンツサーバ装置２から携帯電話装置８に、権利特徴データを送るようにしてもよい。
【０１１８】
上記実施形態では、権利特徴データＰ(j,k)と、対象特徴データをＰ'(j,k)において、ｊを１〜Ｊまで、ｋを１〜Ｋまで変化させ、対応するＰ(j,k)とＰ'(j,k)の誤差（不一致となったＰの数）を求めて、合致性を判断している。しかし、権利特徴データと対象特徴データについて、Ｋ×Ｊ次元空間におけるベクトルとして、その空間におけるユークリッド位置の誤差に基づいて合致性を判断してもよい。また、権利特徴データと対象特徴データの相関により、合致性を判断するようにしてもよい。
【０１１９】
３．第２の実施形態
図１３に、第２の実施形態の構成を示す。第１の実施形態では、権利特徴データ記録部２２が音楽再生装置(携帯電話)８の側に記録されていた。この実施形態では、管理装置３の側に権利特徴データ記録部２２が設けられている。管理装置３は、生成した権利特徴データを音楽再生装置８に送信せず、自ら記録するようにしている。音楽再生装置８のユーザが、再生したい音楽データを選択することにより、当該音楽データについて権利を有していれば再生を行うことができる。
【０１２０】
図１３ａに管理装置３に記録された権利特徴データの例を示す。各ユーザのＩＤ（たとえば、電話番号）に対応づけて、当該ユーザが有する権利特徴データを記録するようにしている。
【０１２１】
音楽再生装置８の判断手段２４は、音楽再生装置８のユーザＩＤを管理装置３に送信し、当該ユーザの有する権利特徴データを取得して、対象特徴データとの合致を判定することができる。
【０１２２】
なお、図１４に示すように、管理装置３から取得した権利特徴データをキャッシュメモリ２５に記録するようにしてもよい。判断手段２４は、まず、キャッシュメモリ２５に記録された権利特徴データとの照合を行い、合致するものがなければ管理装置３にアクセスして、権利特徴データ記録部２２の権利特徴データとの照合を行う。したがって、同じ音楽を繰り返して再生する場合やよく再生する音楽について、権利判断処理を迅速にすることができる。このようなキャッシュ処理は、他の実施形態においても採用することができる。
【０１２３】
また、管理装置３を携帯電話によって構成し、音楽再生装置８を音楽再生機能付きのカーナビゲーション装置としてもよい。この場合、携帯電話に権利特徴データ記録部２２が設けられることになる。携帯電話３とカーナビゲーション装置との通信は、無線通信（WiFiなど）、ブルーツース、赤外線などによってもよいし、インターネットを介して行うようにしてもよい。さらに、携帯電話３には、権利特徴データ記録部２２を設けず、インターネット上のサーバに権利特徴データ記録部２２を設けるようにしてもよい。この場合には、カーナビゲーション装置は、携帯電話３との通信を行い、携帯電話３を介してサーバの権利特徴データ記録部２２から権利特徴データを取得する。カーナビゲーション装置がインターネットに接続できない場合などに有効である。
【０１２４】
４．第３の実施形態
第3の実施形態を図１５に示す。この実施形態では、管理装置３を携帯電話によって構成し、音楽再生装置８をオーディオ装置やテレビ装置によって構成している。この実施形態では、管理装置３である携帯電話を操作して、再生したい音楽データを選択すれば、当該音楽データについて権利を有していることを条件に、音楽再生装置８において音楽が再生される。
【０１２５】
携帯電話３において、対象特徴データ生成手段２０は、音楽データ記録部１１から音楽データを読み出し、対象特徴データを生成する。判断手段２４は、当該対象特徴データに合致する権利特徴データ記録部２２に記録されているか否かを判断する。制御手段２６は、判断結果が肯定的であれば、音楽データ記録部１１から音楽データを読み出して、オーディオ装置８に送信する。オーディオ装置８の音楽データ取得手段１２はこれを受信し、再生手段１７によってリアルタイムに再生する。なお、判断結果が否定的であれば、制御手段２６は、オーディオ装置８に対して音楽データを送信しない。
【０１２６】
５．第４の実施形態
図１８に、この発明の第４の実施形態に係る音楽再生管理システムの機能ブロック図を示す。図１と異なる点は、制御手段２６に代えて記録手段２９が設けられていることである。記録手段２９（下記のステップＳ５１、Ｓ５２）は、判断手段２４の判断結果を受けて、これを判断情報記録部２７(不揮発性メモリなど）に記録する。判断情報記録部２７には、判断結果に対応付けて、再生日時、ユーザＩＤなどを記録する。なお、ユーザの有する固有の音楽再生装置に判断情報を記録する場合には、ユーザＩＤは記録しなくともよい。このようにして記録された判断情報は、権利を持たずに再生を行った回数などの実態判断に用いることができる。
【０１２７】
図１８の各機能は、第１〜第３の実施形態と同じように、全ての機能を音楽再生装置に持たせることもでき、管理装置にその機能の一部を持たせることもできる。
【０１２８】
ここでは、図１８の全ての機能を音楽再生装置に持たせた場合について説明する。ハードウエア構成は図５と同様である。
【０１２９】
プレイヤープログラム７８のフローチャートを、図１９、図２０に示す。ステップＳ５１、Ｓ５２、Ｓ５３が、図１１、図１２と異なっている。他の部分は同様である。
【０１３０】
ＣＰＵ７２は、再生中の音楽データの対象特徴データに合致する権利特徴データがない場合には、不揮発性メモリ７０(判定結果記録部)に、再生開始日時とともに”不正”を記録する(ステップＳ５１)。また、ＣＰＵ７２は、再生中の音楽データの対象特徴データに合致する権利特徴データがある場合には、不揮発性メモリ７０に、再生開始日時とともに”公正”を記録する(ステップＳ５２)。
【０１３１】
その後、ＣＰＵ７２は、音楽データの再生を続行する。つまり、この実施形態では、判定結果を記録するだけで、それにより再生を中止することはしない。ただし、判定結果が記録されるので、これを取得（音楽再生装置がウエブに接続した際に強制転送させるなどの方法で実現可能）することにより、不正な使用の実態を把握することができる。
【０１３２】
なお、上記の判定結果の記録に加えて、第１の実施形態のように、再生中止などの再生制御を行うようにしてもよい。
【０１３３】
なお、上記実施形態では、判定結果記録部を音楽再生装置に設けている。しかし、図１３の実施形態と同様に判定結果記録部を管理装置に設けるようにしてもよい。この場合、判定結果とともにユーザＩＤを記録するようにしてもよい。また、ユーザのプライバシーを尊重し、全体的な不正の状況を知るだけであれば、ユーザＩＤを記録する必要はない。
【０１３４】
６．第５の実施形態
図２１に、この発明の一実施形態による音楽流通管理システムを示す。このシステムは、権利を有していない音楽データの流通を禁止するためのものである。このシステムでは、音楽再生装置１０１と音楽再生装置１０３がインターネット１０５などを介して通信可能に接続されている。なお、この実施形態では、音楽再生装置１０１、１０３は、音楽再生の機能を有しているが、少なくとも音楽データを記録する機能があればこの発明を適用することができる。
【０１３５】
図２２に、音楽再生装置１０１と音楽再生装置１０３の機能ブロック図を示す。音楽再生装置１０１は、音楽データ記録部１３ａ、出力手段１９ａ、対象特徴データ生成手段２０ａ、判断手段２４ａ、権利特徴データ記録部２２ａを備えている。対象特徴データ生成手段２０ａ、判断手段２４ａ、権利特徴データ記録部２２ａは、図１の対象特徴データ生成手段２０、判断手段２４、権利特徴データ記録部２２と同様のものである。
【０１３６】
出力手段１９ａは、音楽データ記録部１３ａに記録されている音楽データを読み出し、音楽装置１０３に対して出力する。対象特徴データ生成手段２０ａは、出力手段１９ａが出力しようとする（あるいは出力している）音楽データについて、対象特徴データを生成する。判断手段２４ａは、生成した対象特徴データに合致する権利特徴データが、権利特徴データ記録部２２ａに記録されているか否かを判断する。判断手段２４ａは、合致するものがあれば出力手段１９ａによる音楽データの出力を許可する。合致するものがなければ、出力手段１９ａによる音楽データの出力を許可しない。
【０１３７】
したがって、自らが権利を有している音楽データについてのみ外部に出力することができるように制御できる。
【０１３８】
音楽再生装置１０３は、音楽データ記録部１３ｂ、入力手段１９ｂ、対象特徴データ生成手段２０ｂ、判断手段２４ｂ、権利特徴データ記録部２２ｂを備えている。対象特徴データ生成手段２０ｂ、判断手段２４ｂ、権利特徴データ記録部２２ｂは、図１の対象特徴データ生成手段２０、判断手段２４、権利特徴データ記録部２２と同様のものである。
【０１３９】
入力手段１９ｂは、音楽再生装置１０１から送られてくる音楽データを受けて、これを音楽データ記録部１３ｂに記録する。対象特徴データ生成手段２０ｂは、入力手段１９ｂが受けた音楽データについて、対象特徴データを生成する。判断手段２４ｂは、生成した対象特徴データに合致する権利特徴データが、権利特徴データ記録部２２ｂに記録されているか否かを判断する。判断手段２４ｂは、合致するものがあれば入力手段１９ｂによる音楽データ記録部１３ｂへの音楽データの記録を許可する。合致するものがなければ、出力手段１９ｂによる音楽データ記録部１３ｂへの音楽データの記録を許可しない。
【０１４０】
したがって、自らが権利を有している音楽データについてのみ外部から取り込んで記録することができるように制御できる。
【０１４１】
この実施形態による音楽再生装置１０１、１０３のハードウエア構成は図５と同様である。ただし、ハードディスク７４には、制御プログラムも記録されている。図２３に、この制御プログラムのフローチャートを示す。左側が音楽データを読み出して送信する音楽再生装置１０１であり、右側が音楽データを受けて記録る音楽再生装置１０３である。
【０１４２】
ユーザからの指令がキー８２から与えられると、音楽再生装置１０１のＣＰＵ７２は、不揮発性メモリ７０に記録されている音楽データを読み出す(ステップＳ２０１)。次に、ＣＰＵ７２は、読み出した音楽データにつき、対象特徴データを生成する(ステップＳ２０２)。続いて、ＣＰＵ７２は、生成した対象特徴データに合致する権利特徴データが不揮発性メモリ７０に記録されているか否かを判断する(ステップＳ２０３)。合致する権利特徴データがない場合には、ＣＰＵ７２は、音楽データを相手方に送信せず、処理を中止する。合致する権利特徴データがある場合には、ＣＰＵ７２は、通信回路６４を介して音楽データを相手方に送信する(ステップＳ２０４)。
【０１４３】
音楽再生装置１０３のＣＰＵ７２は、送られてきた音楽データを通信回路６４を介して受信する(ステップＳ３０１)。続いてＣＰＵ７２は、受信した音楽データに付き対象特徴データを生成する（ステップＳ３０２）。ＣＰＵ７２は、生成した対象特徴データに合致する権利特徴データが不揮発性メモリ７０に記録されているか否かを判断する(ステップＳ３０３)。合致する権利特徴データがない場合には、ＣＰＵ７２は、受信した音楽データを不揮発性メモリ７０に記録せず、受信を中止する(ステップＳ３０５）。合致する権利特徴データがある場合には、ＣＰＵ７２は、受信した音楽データを不揮発性メモリ７０に記録する(ステップＳ３０４)。
【０１４４】
このようにすれば、送信側、受信側の双方において権利特徴データを有している場合にのみ、音楽データの転送を許可することができる。たとえば、権利特徴データを有しているが、その音楽データを紛失(削除)したような場合には、友人などから音楽データを転送してもらうことができる。
【０１４５】
なお、上記実施形態では、オンラインにて音楽データを転送しているが、図２４に示すように、音楽再生装置１０１からメモリカード１５０などの可搬性記録媒体に出力し、これを音楽再生装置１０３の側で読み込んで記録するようにしてもよい。この場合、メモリカード１５０への記録時に権利有無の判断を行い、目見ろカード１５０からの読み込み時に権利有無の判断を行う。
【０１４６】
上記実施形態では、送り側・受け側の双方において権利有無の判断を行っているが、いずれか一方だけで権利有無の判断をするようにしてもよい。
【０１４７】
なお、音楽再生装置１０１と音楽再生装置１０３との間は、直接的な通信ではなく、サーバ(管理装置)を介した通信であってもよい。この場合、サーバの側に、音楽再生装置１０１、音楽再生装置１０３のユーザの権利特徴データを記録しておき、音楽再生装置の判断手段がこれを取得して判断するようにしてもよい。あるいは、判断手段をサーバの側に設けるようにしてもよい。この場合、判断手段は、音楽データの転送処理を許可したり、不許可にしたりして制御することができる。
【０１４８】
７．その他の実施形態
以下、上記各実施形態に適用することのできる他の実施形態を説明する。
【０１４９】
(1)上記各実施形態では、音楽再生装置において再生を行おうとするたびに、対象特徴データに合致する権利特徴データがあるかどうかを判断手段が判断している。しかし、一度権利ありと判断した場合には、その音楽データのＩＤ（たとえば、タイトル名）を権利情報として音楽再生装置の側に記録しておいてもよい。これにより、再生要求があった場合には、制御手段は、その再生要求に含まれる音楽データのＩＤによって権利情報の有無を判断し、制御を行うことができる。したがって、２回目以降は、判断手段による判断を行う必要がなく、迅速な処理が可能となる。
【０１５０】
例えば、上記の実施形態を第１の実施形態に適用すれば、図１６に示すような構成となる。音楽データ取得手段１２は、再生要求に含まれる 音楽データＩＤに基づいて、該当する音楽データを音楽データ記録部１３(ハードディスク）から取得する。
【０１５１】
制御手段は、再生要求に含まれる音楽データＩＤに基づいて、権利情報記録部２５(ハードディッスク)を検索し、当該音楽データＩＤが記録されているか否かを調べる。記録されていれば、判断手段２４による判断を行うことなく、再生手段１７による音楽データの再生を許可する。
【０１５２】
権利情報記録部２５に記録されていなければ、制御手段２６は、判断手段２４に判断を行わせる。判断手段２４は、権利ありと判断した場合には判断結果記録部２５に記録する。第３の実施形態に対しても同じように適用することができる。
【０１５３】
また、上記実施形態を第２の実施形態に適用し、図１７に示すように管理装置３の側に権利情報記録部２５を設けてもよい（もちろん、上記と同じように音楽再生装置８の側に設けてもよい）。この場合には、権利情報記録部２２には、ユーザＩＤ、音楽データのＩＤが対応付けて記録される。制御手段２６が権利情報記録部にアクセスする際には、ユーザＩＤ(電話番号など)を付して送信する。これにより、管理装置３からは、当該ユーザに関する権利情報が送られてくる。
【０１５４】
(2)上記実施形態では、権利特徴データ取得手段は、権利特徴データをユーザからの権利購入要求があった際に生成するようにしている。しかし、予め音楽データについて権利特徴データを生成し、音楽データのＩＤと対応付けて記憶しておくようにしてもよい。ユーザからの権利購入要求があった場合には、当該要求に含まれる音楽データのＩＤに基づいて、記録しておいて権利特徴データを取得するようにしてもよい。
【０１５５】
(3)上記実施形態では、インターネットを経由してコード化音楽データや権利特徴データを入手しているが、記録媒体により入手するようにしてもよい。この場合、記録媒体にアクセスするためのインターフェイスが、音楽データ取得手段１２となる。
【０１５６】
(4)上記実施形態では、フーリエ変換を用いて波形特徴を抽出しているが、時間軸上の波形に基づいてその形状的な特徴を抽出して波形特徴を抽出するようにしてもよい。
【０１５７】
また、上記実施形態では、１つの波形特徴アルゴリズムを用いているが、異なるアルゴリズム（たとえば、分割周波数帯を異ならせる）によって、２以上の権利特徴データ、対象特徴データを算出するようにしてもよい。この場合、各アルゴリズムによる権利特徴データ、対象特徴データごとに、合致度の判定を行い、これらをあわせて最終的な合致度の判定を行うようにする。また、この際、アルゴリズムごとにウエイト付けを行って合致度を判定しもよい。
【０１５８】
(5)上記実施形態では、権利特徴データと対象特徴データの合致性に基づいて権利の有無を判断している。しかし、これに加えて、予め登録された音楽の時間的長さと、再生しようとしている音楽の時間的長さとの合致性も加味して判断してもよい。たとえば、権利特徴データと対象特徴データとの合致性が、第1の所定値以上であれば、権利ありとする。権利特徴データと対象特徴データとの合致性が、第1の所定値よりも小さく、第2の所定値よりも大きい場合には、時間的長さの合致度が所定値以上であるかどうかを判断する。所定値以上なら権利あり、所定値に満たなければ権利無しとする。また、権利特徴データと対象特徴データとの合致性が、第２の所定値より小さければ、権利なしとする。
【０１５９】
(6)上記実施形態では、制御手段２６は、権利があるか否かが判明するまでは音楽の再生を行うよう制御している。しかし、権利があることが判明するまで、音楽の再生を行わないようにしてもよい。また、権利がない場合には、品質を落とした音楽データを再生するように制御してもよい。
【０１６０】
(7)上記実施形態では、音楽データについて説明したが、映像コンテンツなどについても同様に適用することができる。
【図面の簡単な説明】
【０１６１】
【図１】この発明の一実施形態による音楽再生管理システムの構成図である。
【図２】この発明の第１の実施形態による音楽再生管理システムの構成図である。
【図２ａ】コンテンツサーバ装置２とキー発行サーバ装置４の機能ブロック図である。
【図２ｂ】携帯電話装置８の機能ブロック図である。
【図３】コンテンツサーバ装置２のハードウエア構成を示す図である。
【図４】キー発行サーバ装置４のハードウエア構成を示す図である。
【図５】携帯電話装置８のハードウエア構成を示す図である。
【図６】ダウンロード処理のフロチャートである。
【図７】携帯電話装置８の画面表示例である。
【図８】波形音楽データの例である。
【図９】特徴データ作成のフローチャートである。
【図１０】コード化音楽データと権利特徴データの記録例である。
【図１１】プレイヤプログラムのフローチャートである。
【図１２】プレイヤプログラムのフローチャートである。
【図１３】第２の実施形態による音楽再生管理システムの構成図である。
【図１３ａ】権利特徴データ記録部２２のデータ例である。
【図１４】第２の実施形態による音楽再生管理システムの構成図である。
【図１５】第３の実施形態による音楽再生管理システムの構成図である。
【図１６】その他の実施形態による音楽再生管理システムの構成図である。
【図１７】その他の実施形態による音楽再生管理システムの構成図である。
【図１８】第４の実施形態による音楽再生管理システムの構成図である。
【図１９】第４の実施形態におけるプレイヤプログラムのフローチャートである。
【図２０】第４の実施形態におけるプレイヤプログラムのフローチャートである。
【図２１】第５の実施形態における音楽流通システムの全体構成図である。
【図２２】第５の実施形態における音楽流通システムの機能ブロック図である。
【図２３】第５の実施形態における制御プログラムのフローチャートである。
【図２４】他の実施形態における音楽流通システムの全体構成図である。
【符号の説明】
【０１６２】
１２・・・音楽データ取得手段
１７・・・再生手段
２０・・・対象特徴データ生成手段
２２・・・権利特徴データ記録部
２４・・・判断手段
２６・・・制御手段
【図１】
2007017865.tif 000004
【図２】
2007017865.tif 000005
【図２ａ】
2007017865.tif 000006
【図２ｂ】
2007017865.tif 000007
【図３】
2007017865.tif 000008
【図４】
2007017865.tif 000009
【図５】
2007017865.tif 000010
【図６】
2007017865.tif 000011
【図７】
2007017865.tif 000012
【図８】
2007017865.tif 000013
【図９】
2007017865.tif 000014
【図１０】
2007017865.tif 000015
【図１１】
2007017865.tif 000016
【図１２】
2007017865.tif 000017
【図１３】
2007017865.tif 000018
【図１３ａ】
2007017865.tif 000019
【図１４】
2007017865.tif 000020
【図１５】
2007017865.tif 000021
【図１６】
2007017865.tif 000022
【図１７】
2007017865.tif 000023
【図１８】
2007017865.tif 000024
【図１９】
2007017865.tif 000025
【図２０】
2007017865.tif 000026
【図２１】
2007017865.tif 000027
【図２２】
2007017865.tif 000028
【図２３】
2007017865.tif 000029
【図２４】
2007017865.tif 000030
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
音楽データの再生を管理する音楽再生管理システムであって、
ユーザが権利を有する音楽データに基づいて得られる音楽波形データの波形的な特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
を備えた音楽再生管理システム。
【請求項２】
請求項１の音楽再生管理システムにおいて、
当該音楽再生管理システムは、管理装置と、当該管理装置と通信可能な音楽再生装置とを備えており、
前記管理装置は、
音楽再生装置からの購入要求に応答して、当該購入要求対象となっている音楽データにつき権利特徴データを取得する権利特徴データ取得手段と、
当該権利特徴データを音楽再生装置に送信する送信手段とをさらに備え、
前記音楽再生装置は、
前記権利特徴データ記録部と音楽データ取得手段と再生手段と対象特徴データ生成手段と判断手段と制御手段とを有しており、
管理装置からの権利特徴データを受信して権利特徴データ記録部に記録する受信記録手段をさらに備えていることを特徴とするもの。
【請求項３】
音楽再生装置とともに音楽再生管理システムを構築する管理装置であって、
音楽再生装置からの購入要求に応答して、当該購入要求対象となっている音楽データに基づいて得られる音楽波形データの波形的特徴を示す権利特徴データを取得する権利特徴データ取得手段と、
当該権利特徴データを当該音楽再生装置に送信する送信手段と、
を備えた管理装置。
【請求項４】
管理装置とともに音楽再生管理システムを構築する音楽再生装置であって、
当該ユーザが権利を有する音楽波形データの特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
を備えた音楽再生装置。
【請求項５】
コンピュータによって下記の機能を実現して音楽再生装置を構築するための音楽再生プログラムであって、
当該ユーザが権利を有する音楽波形データの特徴を抽出した権利特徴データを記録する権利特徴データ記録部にアクセスする手段と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、再生手段による再生状態を変化させる制御手段と、
をコンピュータによって実現するための音楽再生プログラム。
【請求項６】
請求項４の音楽再生装置または請求項５の音楽再生プログラムにおいて、
管理装置からの権利特徴データを受信して権利特徴データ記録部に記録する受信記録手段をさらに備えていることを特徴とするもの。
【請求項７】
請求項１の音楽再生管理システムにおいて、
当該音楽再生管理システムは、管理装置と、当該管理装置と通信可能な音楽再生装置とを備えており、
前記管理装置は、
前記権利特徴データ記録部を有しており、
前記権利特徴データ記録部には、音楽再生装置のユーザ毎に権利特徴データが記録されており、
前記音楽再生装置は、
前記音楽データ取得手段と再生手段と対象特徴データ生成手段と判断手段と制御手段とを有しており、
前記判断手段は、管理装置の権利特徴データ記録部を参照して、対象特徴データに合致する権利特徴データが当該ユーザに対応づけて記録されているかを判断することを特徴とするもの。
【請求項８】
音楽再生装置とともに音楽再生管理システムを構築する管理装置であって、
音楽再生装置のユーザ毎に、当該ユーザが権利を有する音楽データに基づいて得られる音楽波形データの波形的特徴を示す権利特徴データを記録した権利特徴データ記録部と、
音楽再生装置からの要求に応じて、権利特徴データ記録部に記録されている少なくとも指定されたユーザの権利特徴データを送り返す送信手段と、
を備えた管理装置。
【請求項９】
管理装置とともに音楽再生管理システムを構築する音楽再生装置であって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果に応じて、再生手段による再生状態を変化させる制御手段と、
を備えた音楽再生装置。
【請求項１０】
コンピュータによって下記の機能を実現して音楽再生装置を構築するための音楽再生プログラムであって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果に応じて、再生手段による再生状態を変化させる制御手段と、
をコンピュータによって実現するための音楽再生プログラム。
【請求項１１】
請求項１の音楽再生管理システムにおいて、
当該音楽再生管理システムは、管理装置と、当該管理装置と通信可能な音楽再生装置とを備えており、
前記管理装置は、権利特徴データ記録部と、対象特徴データ生成手段と、判断手段と、制御手段とを備えており、
前記制御手段は、判断手段の判断結果に応じて、音楽再生装置に対して送信する音楽データを制御することにより再生手段による再生を制御し、
前記音楽再生装置は、音楽データ取得手段と再生手段を備えており、
前記再生手段は、前記管理装置から送信されてくる音楽データを再生することを特徴とするもの。
【請求項１２】
音楽再生装置とともに音楽再生管理システムを構築する管理装置であって、
ユーザが権利を有する音楽データに基づいて得られる音楽波形データの波形的な特徴を抽出した権利特徴データを記録する権利特徴データ記録部と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、音楽再生装置に対して送信する音楽データを制御することにより再生手段による再生状態を変化させる制御手段と、
を備えた管理装置。
【請求項１３】
コンピュータによって下記の機能を実現して管理装置を構築するための管理プログラムであって、
ユーザが権利を有する音楽データに基づいて得られる音楽波形データの波形的な特徴を抽出した権利特徴データを記録する権利特徴データ記録部にアクセスする手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、音楽再生装置に対して送信する音楽データを制御することにより再生手段による再生状態を変化させる制御手段と、
をコンピュータによって実現するための管理プログラム。
【請求項１４】
請求項７または１１の音楽再生管理システムにおいて、
前記管理装置は、
音楽再生装置からの購入要求に応答して、当該購入要求対象となっている音楽データにつき権利特徴データを取得し、当該ユーザに対応づけて権利特徴データ記録部に記録する権利特徴データ取得手段をさらに備え、
前記音楽再生装置は、
管理装置に対して音楽データの購入要求を送信する送信手段をさらに備えていることを特徴とするもの。
【請求項１５】
請求項８または１２の管理装置において、
音楽再生装置からの購入要求に応答して、当該購入要求対象となっている音楽データにつき権利特徴データを取得し、当該ユーザに対応づけて権利特徴データ記録部に記録する権利特徴データ取得手段をさらに備えたことを特徴とするもの。  
【請求項１６】
請求項１４の音楽再生管理システムにおいて、
前記管理装置は、コンテンツサーバ装置とキー発行サーバ装置を含んで構成されており、
前記コンテンツサーバ装置は、音楽再生装置からの購入要求に応じて音楽データを送信し、
前記キー発行サーバ装置は、音楽再生装置からの購入要求に応じて前記コンテンツサーバ装置から送信されてきた音楽データに対応する権利特徴データを取得することを特徴とするもの。
【請求項１７】
請求項１、２、４〜７、９〜１２、１４〜１６のいずれかのシステム、装置またはプログラムにおいて、
前記判断手段は、判断結果を音楽データのＩＤに対応づけて記録しておき、
当該音楽データの再生が２回目以降である場合には、対象特徴データ生成手段は当該音楽データの対象特徴データを作成せず、判断手段は判断を行わず、制御手段は記録された判断結果に基づいて制御を行うことを特徴とするもの。
【請求項１８】
請求項１、２、４〜７、９〜１１、１２〜１７のいずれかのシステム、装置またはプログラムにおいて、
前記制御手段は、判断手段の判断結果が否定的であった場合には、再生手段による当該音楽データの再生を許可しないことを特徴とするもの。
【請求項１９】
請求項１、２、４〜７、９〜１１、１２〜１７のいずれかのシステム、装置またはプログラムにおいて、
前記制御手段は、判断手段の判断結果が否定的であった場合でも、再生手段による当該音楽データの再生を所定時間だけ許可し、その後の再生を許可しないことを特徴とするもの。
【請求項２０】
請求項１、２、４〜７、９〜１１、１２〜１７のいずれかのシステム、装置またはプログラムにおいて、
前記制御手段は、判断手段の判断結果が否定的であった場合には、再生手段による当該音楽データの再生を品質を落として許可することを特徴とするもの。
【請求項２１】
請求項１、２、４〜８、１１、１２、１５、１６〜２０のいずれかのシステム、装置またはプログラムにおいて、
前記権利特徴データ記録部は、着脱可能な可搬性記録媒体であることを特徴とするもの。
【請求項２２】
請求項１〜２１のいずれかのシステム、装置またはプログラムにおいて、
前記権利特徴データまたは対象特徴データは、音楽波形データの開始部分を、オーバーラップした複数のウインドウによって切り出し、各ウインドウによって切り出した波形を周波数解析した結果を２値化し、時系列順に並べたデータであることを特徴とするもの。
【請求項２３】
請求項２２のシステム、装置またはプログラムにおいて、
前記判断手段は、権利特徴データ中の２値化データと対象特徴データ中の２値化データの合致割合が所定割合を超えた場合には、両者が合致していると判断することを特徴とするもの。
【請求項２４】
請求項２２または２３のシステム、装置またはプログラムにおいて、
異なるパラメータによる権利特徴データおよび対象特徴データを複数生成し、
前記判断手段は、これら複数の権利特徴データおよび対象特徴データの合致割合により、合致しているか否かを判断することを特徴とするもの。
【請求項２５】
請求項１〜２４のシステム、装置またはプログラムにおいて、
前記管理装置は、インターネットに接続された管理サーバ装置であり、
前記音楽再生装置は、インターネットに接続可能な携帯端末装置であることを特徴とするもの。
【請求項２６】
請求項１〜２４のシステム、装置またはプログラムにおいて、
前記管理装置は、携帯端末装置であり、
前記音楽再生装置は、前記携帯端末装置と通信可能な音楽再生機器であることを特徴とするもの。
【請求項２７】
請求項２６のシステム、装置またはプログラムにおいて、
前記音楽再生機器は、テレビ、オーディオ機器またはカーナビゲーション装置のいずれかであることを特徴とするもの。
【請求項２８】
請求項１〜２６のシステム、装置またはプログラムにおいて、
判断手段の判断結果を判断結果記録部に記録する記録手段をさらに備えたことを特徴とするもの。
【請求項２９】
音楽データの再生を管理する音楽再生管理方法であって、
音楽再生端末装置のユーザに対応付けて、当該ユーザが権利を有する音楽波形データの特徴を抽出した権利特徴データを権利特徴データ記録部に記録しておき、
再生対象となる音楽データに基づいて得られる音楽波形データの波形的特徴を抽出して対象特徴データを生成し、
対象特徴データに合致する権利特徴データが権利特徴データ記録部に記録されているか否かを判断し、
判断手段の判断結果に応じて、再生手段による再生状態を変化させること
を特徴とする音楽再生管理方法。
【請求項３０】
音楽データの再生を管理する音楽再生管理システムであって、
ユーザが権利を有する音楽データに基づいて得られる音楽波形データの波形的な特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
を備えた音楽再生管理システム。
【請求項３１】
請求項３０の音楽再生管理システムにおいて、
当該音楽再生管理システムは、管理装置と、当該管理装置と通信可能な音楽再生装置とを備えており、
前記管理装置は、
音楽再生装置からの購入要求に応答して、当該購入要求対象となっている音楽データにつき権利特徴データを取得する権利特徴データ取得手段と、
当該権利特徴データを音楽再生装置に送信する送信手段とをさらに備え、
前記音楽再生装置は、
前記権利特徴データ記録部と音楽データ取得手段と再生手段と対象特徴データ生成手段と判断手段と制御手段とを有しており、
管理装置からの権利特徴データを受信して権利特徴データ記録部に記録する受信記録手段をさらに備えていることを特徴とするもの。
【請求項３２】
管理装置とともに音楽再生管理システムを構築する音楽再生装置であって、
当該ユーザが権利を有する音楽波形データの特徴を抽出した権利特徴データを記録する権利特徴データ記録部と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
を備えた音楽再生装置。
【請求項３３】
コンピュータによって下記の機能を実現して音楽再生装置を構築するための音楽再生プログラムであって、
当該ユーザが権利を有する音楽波形データの特徴を抽出した権利特徴データを記録する権利特徴データ記録部にアクセスする手段と、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果を判断結果記録部に記録する記録手段と、
をコンピュータによって実現するための音楽再生プログラム。
【請求項３４】
請求項３０の音楽再生管理システムにおいて、
当該音楽再生管理システムは、管理装置と、当該管理装置と通信可能な音楽再生装置とを備えており、
前記管理装置は、
前記権利特徴データ記録部を有しており、
前記権利特徴データ記録部には、音楽再生装置のユーザ毎に権利特徴データが記録されており、
前記音楽再生装置は、
前記音楽データ取得手段と再生手段と対象特徴データ生成手段と判断手段と制御手段とを有しており、
前記判断手段は、管理装置の権利特徴データ記録部を参照して、対象特徴データに合致する権利特徴データが当該ユーザに対応づけて記録されているかを判断することを特徴とするもの。
【請求項３５】
管理装置とともに音楽再生管理システムを構築する音楽再生装置であって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果を判断結果記録部に記録する記録手段と、
を備えた音楽再生装置。
【請求項３６】
コンピュータによって下記の機能を実現して音楽再生装置を構築するための音楽再生プログラムであって、
音楽データを取得する音楽データ取得手段と、
前記取得した音楽データを音楽波形データに変換して音楽として出力する再生手段と、
前記音楽データに基づいて得られる音楽波形データの波形的特徴を抽出して対象特徴データを生成する対象特徴データ生成手段と、
管理装置の権利特徴データ記録部にアクセスし、対象特徴データに合致する権利特徴データが当該ユーザに対応づけて記録されているか否かを判断する判断手段と、
判断手段の判断結果を判断結果記録部に記録する記録手段と、
をコンピュータによって実現するための音楽再生プログラム。
【請求項３７】
音楽データの再生を管理する音楽再生管理方法であって、
ユーザが権利を有する音楽データに基づいて得られる音楽波形データの波形的な特徴を抽出した権利特徴データを権利特徴データ記録部に記録しておき、
音楽データを取得し、
前記取得した音楽データを音楽波形データに変換して音楽として出力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果を判断結果記録部に記録する
ことを特徴とする音楽再生管理方法。
【請求項３８】
音楽データの流通を管理する音楽流通管理システムであって、
前記システムは、第１の音楽記録装置と第２の音楽記録装置を備えており、
前記第１の音楽記録装置は、
音楽データを記録する音楽データ記録部と、
ユーザが権利を有する音楽データに基づいて得られる音楽波形データの波形的な特徴を抽出した権利特徴データを記録する権利特徴データ記録部と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段とを備え、
前記第２の音楽記録装置は、
音楽データを記録する音楽データ記録部と、
ユーザが権利を有する音楽データに基づいて得られる音楽波形データの波形的な特徴を抽出した権利特徴データを記録する権利特徴データ記録部と、
第１の音楽装置から出力された音楽データを、オンラインまたは記録媒体を介して入力し音楽データ記録部に記録する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段とを備えたことを特徴とする音楽流通管理システム。
【請求項３９】
音楽データを記録する音楽データ記録部と、
ユーザが権利を有する音楽データに基づいて得られる音楽波形データの波形的な特徴を抽出した権利特徴データを記録する権利特徴データ記録部と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段と
を備えた音楽記録装置。
【請求項４０】
コンピュータによって下記の機能を実現するためのプログラムであって、
音楽データを記録する音楽データ記録部にアクセスするための手段と、
ユーザが権利を有する音楽データに基づいて得られる音楽波形データの波形的な特徴を抽出した権利特徴データを記録する権利特徴データ記録部にアクセスするための手段と、
音楽データ記録部に記録されている音楽データを読み出して外部に出力する出力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、出力手段による出力状態を変化させる制御手段と、
をコンピュータによって実現するためのプログラム。
【請求項４１】
音楽データを記録する音楽データ記録部と、
ユーザが権利を有する音楽データに基づいて得られる音楽波形データの波形的な特徴を抽出した権利特徴データを記録する権利特徴データ記録部と、
第１の音楽装置から出力された音楽データを、オンラインまたは記録媒体を介して入力する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段と、
を備えた音楽記録装置。
【請求項４２】
コンピュータによって下記の機能を実現するためのプログラムであって、
音楽データを記録する音楽データ記録部にアクセスするための手段と、
ユーザが権利を有する音楽データに基づいて得られる音楽波形データの波形的な特徴を抽出した権利特徴データを記録する権利特徴データ記録部にアクセスするための手段と、
第１の音楽装置から出力された音楽データを、オンラインまたは記録媒体を介して入力する入力手段と、
前記音楽データに基づいて得られる音楽波形データの波形的特徴を抽出して対象特徴データを生成する対象特徴データ生成手段と、
対象特徴データに合致する権利特徴データが権利特徴データ記録部に記録されているか否かを判断する判断手段と、
判断手段の判断結果に応じて、入力手段による入力状態を変化させる制御手段と、
をコンピュータによって実現するためのプログラム。
【請求項４３】
第１の音楽記録装置と第２の音楽記録装置を備えた、音楽データの流通を管理する音楽流通管理方法であって、
前記第１の音楽記録装置は、
音楽データを音楽データ記録部に記録し、
ユーザが権利を有する音楽データに基づいて得られる音楽波形データの波形的な特徴を抽出した権利特徴データを権利特徴データ記録部に記録し、
音楽データ記録部に記録されている音楽データを読み出して外部に出力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果に応じて、出力手段による出力状態を変化させ、
前記第２の音楽記録装置は、
音楽データを音楽データ記録部に記録し、
ユーザが権利を有する音楽データに基づいて得られる音楽波形データの波形的な特徴を抽出した権利特徴データを権利特徴データ記録部に記録し、
第１の音楽装置から出力された音楽データを、オンラインまたは記録媒体を介して入力し、
前記音楽データに基づいて得られる音楽波形データの波形的特徴を抽出して対象特徴データを生成し、
対象特徴データに合致する権利特徴データが権利特徴データ記録部に記録されているか否かを判断し、
判断結果に応じて、入力手段による入力状態を変化させること
を特徴とする音楽流通管理方法。
【手続補正２】
【補正対象書類名】明細書
【補正対象項目名】０００９
【補正方法】変更
【補正の内容】
【０００９】
(2)〜(6)この発明に係る音楽再生管理システムは、管理装置と、当該管理装置と通信可能な音楽再生装置とを備えており、前記管理装置は、音楽再生装置からの購入要求に応答して、当該購入要求対象となっている音楽データにつき権利特徴データを取得する権利特徴データ取得手段と、当該権利特徴データを音楽再生装置に送信する送信手段とをさらに備え、前記音楽再生装置は、前記権利特徴データ記録部と音楽データ取得手段と再生手段と対象特徴データ生成手段と判断手段と制御手段とを有しており、管理装置からの権利特徴データを受信して権利特徴データ記録部に記録する受信記録手段をさらに備えていることを特徴としている。
【手続補正３】
【補正対象書類名】明細書
【補正対象項目名】００４７
【補正方法】変更
【補正の内容】
【００４７】
(31)〜(33)この発明に係る音楽再生管理システムは、管理装置と、当該管理装置と通信可能な音楽再生装置とを備えており、前記管理装置は、音楽再生装置からの購入要求に応答して、当該購入要求対象となっている音楽データにつき権利特徴データを取得する権利特徴データ取得手段と、当該権利特徴データを音楽再生装置に送信する送信手段とをさらに備え、前記音楽再生装置は、前記権利特徴データ記録部と音楽データ取得手段と再生手段と対象特徴データ生成手段と判断手段と制御手段とを有しており、管理装置からの権利特徴データを受信して権利特徴データ記録部に記録する受信記録手段をさらに備えていることを特徴としている。
【手続補正４】
【補正対象書類名】明細書
【補正対象項目名】００８２
【補正方法】変更
【補正の内容】
【００８２】
図３に、コンテンツサーバ装置２のハードウエア構成を示す。ＣＰＵ４４には、メモリ４０、通信回路４２、ハードディスク４６が接続されている。ハードディスク４６には、コンテンツサーバプログラム４８、音楽コンテンツデータベース５０が記録されている。音楽コンテンツデータベース５は、複数のコード化音楽データをその曲名とともに記録している。なお、音楽コンテンツデータベース５０は、異なるコンピュータに設けられていてもよい。通信回路４２は、インターネット６に接続するための回路である。
【手続補正５】
【補正対象書類名】明細書
【補正対象項目名】００９０
【補正方法】変更
【補正の内容】
【００９０】
一方、コード化音楽データを受けたキー発行サーバ装置４のＣＰＵ５６は、コード化音楽データを波形音楽データに変換する(ステップＳ２１)。この際、予め定められた部分についてのみ波形音楽データへの変換を行いメモリ５２に一時的に記録する。この実施形態では、音楽の先頭から１秒程度の部分を波形音楽データに変換している。この実施形態において、波形音楽データとは、図８に模式的に示すように、音楽の振幅を時間軸上に並べたデータであり、アナログ変換をしてスピーカに与えることにより、その音楽を再生できるものをいう。なお、この実施形態では、波形音楽データとしてディジタルデータを用いているが、アナログデータを用いてもよい。
【手続補正６】
【補正対象書類名】明細書
【補正対象項目名】００９９
【補正方法】変更
【補正の内容】
【００９９】
図６に戻って、ＣＰＵ５６は、生成した権利特徴データを携帯電話装置８に送信する(ステップＳ２３)。携帯電話装置８のＣＰＵ７２は、受信した権利特徴データを、書換可能ＲＯＭ７４に記録する(ステップＳ５)。なお、この処理は、ブラウザのプラグインプログラムによって自動的に行ってもよいし、メールソフトの自動保存機能によって実現してもよい。あるいは、メールを受信したユーザが操作を行って保存するようにしてもよい。
【手続補正７】
【補正対象書類名】明細書
【補正対象項目名】０１０４
【補正方法】変更
【補正の内容】
【０１０４】
図１１に、携帯電話装置８のプレイヤープログラム７８のフローチャートを示す。ユーザがキー８２を操作し、コード化音楽データを選択して再生指令を入力すると（図７Ｂ参照）、ＣＰＵ７２は、再生処理開始指令を再生処理モジュールに与える(ステップＳ３１)。ここでは、コード化音楽データCODE2が選択されたものとする。これを受けて、ＣＰＵ７２は、再生処理モジュールのステップＳ４１、Ｓ４２、Ｓ４３を並行して実行する。ステップＳ４１では、不揮発性メモリ７０に記録された、指定されたコード化音楽データCODE2を先頭から読み出す(ステップS４１)。次に、読み出したコード化音楽データCODE2を波形音楽データに変換する(ステップS４２)。この際、波形音楽データをメモリ６２に記録する。続いて、ＣＰＵ７２は、波形音楽データをＤ／Ａ変換器６７に出力する(ステップＳ４３)。これにより、アナログ変換された波形音楽データがスピーカ６８に与えられ、音楽が出力される。一連の処理が終了すると、コード化音楽データの次の部分を読み出して変換して出力するという処理を繰り返す。
【手続補正８】
【補正対象書類名】明細書
【補正対象項目名】０１０５
【補正方法】変更
【補正の内容】
【０１０５】
ＣＰＵ７２は、上記再生処理と並行して、権利特徴データを生成する際に用いた分の長さの波形音楽データがメモリ６２に記録されたかどうかを判断する(ステップＳ３２)。所定長さの波形音楽データがメモリ６２に記録されれば、ＣＰＵ７２は、当該波形音楽データの波形的特徴を示す対象特徴データを生成する(ステップＳ３３)。この対象特徴データの生成処理は、図９と同様である。
【手続補正９】
【補正対象書類名】明細書
【補正対象項目名】０１０８
【補正方法】変更
【補正の内容】
【０１０８】
誤差が所定の値を超えている場合には、Ｐ(j,k)とＰ'(j,k)は合致しないものとし、ステップＳ３８に進む。ステップＳ３８では、書換可能ＲＯＭ７４に記録された全ての権利特徴データについて処理したかどうかを判断する。まだ残された権利特徴データがあれば、次の権利特徴データを書換可能ＲＯＭ７４から読み出し(ステップＳ３９)、ステップＳ３５以下を繰り返し実行する。
【手続補正１０】
【補正対象書類名】明細書
【補正対象項目名】０１１７
【補正方法】変更
【補正の内容】
【０１１７】
上記実施形態では、キー発行サーバ装置４から携帯電話装置８に直接、権利特徴データを送信するようにしている。しかし、キー発行サーバ装置４からコンテンツサーバ装置２に送信し、コンテンツサーバ装置２から携帯電話装置８に、権利特徴データを送るようにしてもよい。
【手続補正１１】
【補正対象書類名】明細書
【補正対象項目名】０１４５
【補正方法】変更
【補正の内容】
【０１４５】
なお、上記実施形態では、オンラインにて音楽データを転送しているが、図２４に示すように、音楽再生装置１０１からメモリカード１５０などの可搬性記録媒体に出力し、これを音楽再生装置１０３の側で読み込んで記録するようにしてもよい。この場合、メモリカード１５０への記録時に権利有無の判断を行い、メモリカード１５０からの読み込み時に権利有無の判断を行う。
【手続補正１２】
【補正対象書類名】明細書
【補正対象項目名】０１５１
【補正方法】変更
【補正の内容】
【０１５１】
制御手段は、再生要求に含まれる音楽データＩＤに基づいて、権利情報記録部２５(ハードディスク)を検索し、当該音楽データＩＤが記録されているか否かを調べる。記録されていれば、判断手段２４による判断を行うことなく、再生手段１７による音楽データの再生を許可する。
【手続補正１３】
【補正対象書類名】明細書
【補正対象項目名】０１６１
【補正方法】変更
【補正の内容】
【０１６１】
【図１】この発明の一実施形態による音楽再生管理システムの構成図である。
【図２】この発明の第１の実施形態による音楽再生管理システムの構成図である。
【図２ａ】コンテンツサーバ装置２とキー発行サーバ装置４の機能ブロック図である。
【図２ｂ】携帯電話装置８の機能ブロック図である。
【図３】コンテンツサーバ装置２のハードウエア構成を示す図である。
【図４】キー発行サーバ装置４のハードウエア構成を示す図である。
【図５】携帯電話装置８のハードウエア構成を示す図である。
【図６】ダウンロード処理のフローチャートである。
【図７】携帯電話装置８の画面表示例である。
【図８】波形音楽データの例である。
【図９】特徴データ作成のフローチャートである。
【図１０】コード化音楽データと権利特徴データの記録例である。
【図１１】プレイヤープログラムのフローチャートである。
【図１２】プレイヤープログラムのフローチャートである。
【図１３】第２の実施形態による音楽再生管理システムの構成図である。
【図１３ａ】権利特徴データ記録部２２のデータ例である。
【図１４】第２の実施形態による音楽再生管理システムの構成図である。
【図１５】第３の実施形態による音楽再生管理システムの構成図である。
【図１６】その他の実施形態による音楽再生管理システムの構成図である。
【図１７】その他の実施形態による音楽再生管理システムの構成図である。
【図１８】第４の実施形態による音楽再生管理システムの構成図である。
【図１９】第４の実施形態におけるプレイヤープログラムのフローチャートである。
【図２０】第４の実施形態におけるプレイヤープログラムのフローチャートである。
【図２１】第５の実施形態における音楽流通システムの全体構成図である。
【図２２】第５の実施形態における音楽流通システムの機能ブロック図である。
【図２３】第５の実施形態における制御プログラムのフローチャートである。
【図２４】他の実施形態における音楽流通システムの全体構成図である。